(57)【特許請求の範囲】
【請求項１】
２つ以上のキャリアを用いて無線基地局と通信を行う移動局であって、
前記２つ以上のキャリアは、第１のキャリアと第２のキャリアにより構成される場合に、
前記第１のキャリアと通信を行う第１通信部と、
前記第２のキャリアの測定を行う第２キャリア測定部と
を具備し、
前記第１通信部は、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないように構成されていることを特徴とする移動局。
【請求項２】
請求項１に記載の移動局であって、
前記第２キャリア測定部は、
前記第２のキャリアが有効化されている場合に、前記測定用のギャップを用いずに、前記第２のキャリアの測定を行い、前記第２のキャリアが有効化されていない場合に、前記測定用のギャップを用いて、前記第２のキャリアの測定を行うように構成されていることを特徴とする移動局。
【請求項３】
前記測定用のギャップとは、
異なる周波数のキャリアや異なる無線通信システムのキャリアを測定するために設けられる時間区間であることを特徴とする請求項１に記載の移動局。
【請求項４】
前記測定用のギャップは、
２つのギャップ区間から構成され、前記２つのギャップ区間は周期的に設定されていることを特徴とする請求項１に記載の移動局。
【請求項５】
前記第１のキャリアと前記第２のキャリアは、同一の周波数バンドに属することを特徴とする請求項１に記載の移動局。
【請求項６】
２つ以上のキャリアを用いて無線基地局と通信を行う移動局における通信制御方法であって、
前記２つ以上のキャリアは、第１のキャリアと第２のキャリアにより構成される場合に、
前記第１のキャリアと通信を行う第１ステップと、
前記第２のキャリアの測定を行う第２ステップとを備え、
前記第１ステップにおいて、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないことを特徴とする通信制御方法。
【請求項７】
２つ以上のキャリアを用いて移動局と通信を行う無線基地局であって、
前記２つ以上のキャリアは、第１のキャリアと第２のキャリアにより構成される場合に、
前記第１のキャリアと通信を行う第１通信部とを具備し、
前記第１通信部は、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないように構成されていることを特徴とする無線基地局。
【請求項８】
前記第１通信部は、
前記測定用のギャップにおいて、前記第１のキャリアとの通信が行われないように、上りリンク及び下りリンクのスケジューリングを行うことを特徴とする請求項７に記載に無線基地局。
【請求項９】
２つ以上のキャリアを用いて移動局と通信を行う無線基地局における通信制御方法であって、
前記２つ以上のキャリアは、第１のキャリアと第２のキャリアにより構成される場合に、
前記第１のキャリアと通信を行う第１ステップを備え、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないことを特徴とする通信制御方法。
【請求項１０】
２つ以上のキャリアを用いて無線基地局と通信を行う移動局であって、
前記２つ以上のキャリアは、第１のキャリアと第２のキャリアとにより構成される場合に、
前記第１のキャリアと通信を行う第１通信部と、
前記第２のキャリアと通信を行う第２通信部と、
前記第２のキャリアが有効化されている状態であるか、有効化されていない状態であるかを制御する第２キャリア有効化制御部と、
を具備し、
第２キャリアが有効化されていない状態である場合に、第２のキャリアのためのＯＮ区間が設定されることを特徴とする移動局。
【請求項１１】
前記ＯＮ区間は、
ＯＮ区間の内、時間的に先頭の区間に設定される第１区間と、
ＯＮ区間の内、時間的に前記第１区間の次に設定される第２区間と、
ＯＮ区間の内、時間的に前記第２区間の次に設定される第３区間と、
ＯＮ区間の内、時間的に前記第３区間の次に設定される第４区間と
から構成され、
前記第２通信部は、
前記第２区間において、第２のキャリアのための測定を行うように構成されていることを特徴とする請求項１０に記載の移動局。
【請求項１２】
前記ＯＮ区間は、
ＯＮ区間の内、時間的に先頭の区間に設定される第１区間と、
ＯＮ区間の内、時間的に前記第１区間の次に設定される第２区間と、
ＯＮ区間の内、時間的に前記第２区間の次に設定される第３区間と、
ＯＮ区間の内、時間的に前記第３区間の次に設定される第４区間と
から構成され、
前記第２通信部は、
前記第３区間において、第２のキャリアの上りリンクの信号の送信を行い、
前記第１区間及び第２区間及び第４区間においては、第２のキャリアの上りリンクの送信を行わないように構成されていることを特徴とする請求項１０に記載の移動局。
【発明の詳細な説明】
【技術分野】
【０００１】
本発明は、移動局、無線基地局及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。【０００３】
また、前記ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。【０００４】
ＬＴＥ-ａｄｖａｎｃｅｄ方式では、その要求条件として、「キャリアアグリゲーション（Ｃａｒｒｉｅｒ  ａｇｇａｒｅｇａｔｉｏｎ）」を行うことが合意されている。「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（Ｃｏｍｐｏｎｅｎｔ  Ｃａｒｒｉｅｒ）と呼ばれる。【０００５】
前記複数のコンポーネントキャリアは、メインのキャリアであるプライマリコンポーネントキャリアと、それ以外のセカンダリコンポーネントキャリアとに分類される。【０００６】
ここで、移動局ＵＥが、常時、プライマリコンポーネントキャリア及びセカンダリコンポーネントキャリアを用いて通信を行う場合、コンポーネントキャリアの数に比例して、消費電力が大きくなるという問題が存在する。ここで、プライマリコンポーネントキャリア及びセカンダリコンポーネントキャリアを用いて通信を行う、とは、通常のデータの送受信に加えて、各コンポーネントキャリアにおけるセルサーチやメジャメント、及び、無線リンクのモニタリング（Ｒａｄｉｏ  Ｌｉｎｋ  Ｍｏｎｉｔｏｒｉｎｇ）が含まれる。【０００７】
尚、前記セルサーチとは、例えば、サービングセル及び隣接セルの下りリンクの同期信号（Ｓｙｎｃｈｒｏｎｉｚａｔｉｏｎ  Ｓｉｇｎａｌ）を用いて、下りリンクの同期を確立することを指す。前記セルサーチは、移動局ＵＥが移動している状態において、移動先のセルを検出する処理となるため、移動局ＵＥは、定期的にセルサーチを行う必要がある。前記メジャメントとは、例えば、サービングセル及び隣接セルのリファレンス信号の受信電力、より具体的には、ＲＳＲＰ（Ｒｅｆｅｒｅｎｃｅ  Ｓｉｇｎａｌｅ  Ｒｅｃｅｉｖｅｄ  Ｐｏｗｅｒ）等を測定することを指す。尚、セルサーチとメジャメントの処理を合わせて、メジャメントと呼ばれてもよい。また、前記無線リンクのモニタリングとは、サービングセルのリファレンス信号の無線品質、より具体的には、ＳＩＲ（Ｓｉｇｎａｌ−ｔｏ−Ｉｎｔｅｒｆｅｒｅｎｃｅ  Ｒａｔｉｏ）を測定し、前記ＳＩＲが、所要の閾値以上であるか否かを判定し、所要の閾値以下である場合に、当該サービングセルは同期外れ（Ｏｕｔ−ｏｆ−ｓｙｎｃｈｒｏｎｉｚａｔｉｏｎ）であると判定する処理のことを指す。前記セルサーチ及びメジャメント及び無線リンクのモニタリングに関する処理、及び、パフォーマンス規定は、例えば、非特許文献２、３に記載されている。【０００８】
上述した消費電力の問題を改善するため、例えば、セカンダリコンポーネントキャリアにおいて、Ａｃｔｉｖａｔｉｏｎ／Ｄｅ−ａｃｔｉｖａｔｉｏｎという制御を適用することが考えられている。例えば、Ｄｅ−ａｃｔｉｖａｔｉｏｎの状態であるセカンダリコンポーネントキャリアに関しては、移動局ＵＥは、通常のデータの送受信を行わず、また、上述したセルサーチやメジャメント、無線リンクのモニタリングの処理に関しても、その頻度を低減することにより、バッテリーセービングを行う。上述したセカンダリコンポーネントキャリアのＤｅ−ａｃｔｉｖａｔｉｏｎに関する処理は、例えば、通信すべきデータ量が少ない場合等に行われる。【０００９】
ところで、ＬＴＥにおいては、異なる周波数のキャリアや異なる無線通信システムのキャリアのメジャメントを行うためのＭｅａｓｕｒｅｍｅｎｔ  ｇａｐが定義されている（非特許文献４）。前記Ｍｅａｓｕｒｅｍｅｎｔ  ｇａｐの大きさは、６ｍｓであり、また、その周期は、例えば、４０ｍｓや８０ｍｓが設定される。移動局ＵＥは、前記Ｍｅａｓｕｒｅｍｅｎｔ  ｇａｐの間、サービングセルとの通信を停止し、前記異なる周波数のキャリアや異なる無線通信システムのキャリアのメジャメントを行う。この場合、サービングセルとの通信が停止されるため、サービングセルとの通信のスループットが劣化する。
【先行技術文献】
【非特許文献】
【００１０】
【非特許文献１】３ＧＰＰ  ＴＳ３６.９１３（Ｖ８.０.１）
【非特許文献２】３ＧＰＰ  ＴＳ３６.２１３  Ｖ８.８.０（２００９-０９）
【非特許文献３】３ＧＰＰ  ＴＳ３６.１３３  Ｖ８.７.０（２００９-０９）
【非特許文献４】３ＧＰＰ  ＴＳ３６.３３１  Ｖ８.８.０（２００９-１２）
【発明の概要】
【発明が解決しようとする課題】
【００１１】
上述したように、キャリアアグリゲーションを行う場合に、セカンダリコンポーネントキャリアに関して、Ｄｅ−ａｃｔｉｖａｔｉｏｎを適用することが考えられている。【００１２】
この場合、移動局ＵＥは、図１に示すように、通常の状態（区間Ａ１）ではプライマリコンポーネントキャリアとのみ通信を行い、セカンダリコンポーネントキャリアにおいて上述のセルサーチやメジャメント、無線リンクのモニタリングを行う場合（区間Ａ２）にのみ、プライマリコンポーネントキャリアとセカンダリコンポーネントキャリアの両方と通信を行うことになる。【００１３】
しかしながら、移動局ＵＥは、図２及び図３に示すように、プライマリコンポーネントキャリアとのみ通信を行う場合と、プライマリコンポーネントキャリアとセカンダリコンポーネントキャリアの両方と通信を行う場合とで、受信機の中心周波数の切り替え等を行う必要がある。結果として、プライマリコンポーネントキャリアとのみ通信を行う状態と、プライマリコンポーネントキャリアとセカンダリコンポーネントキャリアの両方と通信を行う状態との切り替え時に、プライマリコンポーネントキャリアにおいてデータの送受信ができないという問題が存在する。ここで、前記データの送受信ができないとは、例えば、送受信を行うつもりのデータが欠落することを意味してもよい。【００１４】
すなわち、移動局ＵＥは、１つの受信機を用いて、前記複数のコンポーネントキャリアを受信する場合には、受信するコンポーネントキャリアの数を変更する場合に、受信機の中心周波数の切り替え等が発生し、結果として、その切り替え時にデータの送受信ができないという問題が存在する。【００１５】
尚、一般に、いつ移動局ＵＥがセルサーチやメジャメント、無線リンクのモニタリングを行うかは、移動局ＵＥの実装の依存するため、無線基地局ｅＮＢは、上述したデータの欠落がいつ発生するかを把握することはできない。【００１６】
上述した課題を解決するために、プライマリコンポーネントキャリアにおいて、上述したＭｅａｓｕｒｅｍｅｎｔ  ｇａｐを設定し、前記Ｍｅａｓｕｒｅｍｅｎｔ  ｇａｐにおいてセカンダリコンポーネントキャリアの測定を行うことも考えられるが、その場合、前記Ｍｅａｓｕｒｅｍｅｎｔ  ｇａｐにおいては、プライマリコンポーネントキャリアの通信を行うことができなくなるため、プライマリコンポーネントキャリアのスループットが劣化するという問題が存在する。【００１７】
そこで、本発明は、上述の課題に鑑みてなされたものであり、キャリアアグリゲーション時において、バッテリーセービングを行いつつ、かつ、適切に、各コンポーネントキャリアのセルサーチやメジャメント等を行うことにより、システムの効率化、及び、接続性の安定性を実現することができる移動局、無線基地局及び通信制御方法を提供することを目的とする。
【課題を解決するための手段】
【００１８】
本発明の移動局は、
２つ以上のキャリアを用いて無線基地局と通信を行う移動局であって、
前記２つ以上のキャリアは、第１のキャリアと第２のキャリアにより構成される場合に、
前記第１のキャリアと通信を行う第１通信部と、
前記第２のキャリアの測定を行う第２キャリア測定部と
を具備し、
前記第１通信部は、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないように構成されていることを特徴とする。【００１９】
本発明の通信制御方法は、
２つ以上のキャリアを用いて無線基地局と通信を行う移動局における通信制御方法であって、
前記２つ以上のキャリアは、第１のキャリアと第２のキャリアにより構成される場合に、
前記第１のキャリアと通信を行う第１ステップと、
前記第２のキャリアの測定を行う第２ステップとを備え、
前記第１ステップにおいて、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないことを特徴とする。【００２０】
本発明の無線基地局は、
２つ以上のキャリアを用いて移動局と通信を行う無線基地局であって、
前記２つ以上のキャリアは、第１のキャリアと第２のキャリアにより構成される場合に、
前記第１のキャリアと通信を行う第１通信部とを具備し、
前記第１通信部は、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないように構成されていることを特徴とする。【００２１】
本発明の通信制御方法は、
２つ以上のキャリアを用いて移動局と通信を行う無線基地局における通信制御方法であって、
前記２つ以上のキャリアは、第１のキャリアと第２のキャリアにより構成される場合に、
前記第１のキャリアと通信を行う第１ステップを備え、
前記第２のキャリアの測定のための測定用のギャップが設定されている場合に、
前記第２キャリアが有効化されている場合には、前記測定用のギャップを考慮せずに、前記第１のキャリアとの通信を行い、
前記第２キャリアが有効化されていない場合には、測定用のギャップにおいては、前記第１のキャリアとの通信を行わないことを特徴とする。
【発明の効果】
【００２２】
以上説明したように、本発明によれば、キャリアアグリゲーション時において、バッテリーセービングを行いつつ、かつ、適切に、各コンポーネントキャリアのセルサーチやメジャメント等を行うことにより、システムの効率化、及び、接続性の安定性を実現することができる移動局、無線基地局及び通信制御方法を提供することが可能になる。
【図面の簡単な説明】
【００２３】
【図１】従来の移動通信システムにおけるＤｅ−ａｃｔｉｖａｔｅｄ状態にあるセカンダリコンポーネントキャリアを測定する動作について説明するための図。
【図２】プライマリコンポーネントキャリアとセカンダリコンポーネントキャリアの両方を受信する場合における受信機の中心周波数を示す図。
【図３】プライマリコンポーネントキャリアのみを受信する場合における受信機の中心周波数を示す図。
【図４】本発明の実施形態に係る移動通信システムにおけるコンポーネントキャリアについて説明するための図。
【図５】本発明の実施形態に係る移動局及び無線基地局の動作を説明するための図（１つのギャップ区間で構成される場合）。
【図６】本発明の実施形態に係る移動局及び無線基地局の動作を説明するための図（２つのギャップ区間で構成される場合）。
【図７】本発明の実施形態に係る２つのギャップ区間で構成されるメジャメントギャップを説明するための図。
【図８】本発明の実施形態に係る２つのギャップ区間で構成されるメジャメントギャップを説明するための図。
【図９】本発明の実施形態に係る２つのギャップ区間で構成されるメジャメントギャップを説明するための図。
【図１０】本発明の実施形態に係る移動局のブロック図。
【図１１】本発明の実施形態に係る無線基地局のブロック図。
【図１２】本発明の実施形態に係る移動局における通信制御方法のフローチャート。
【図１３】本発明の実施形態に係る無線基地局における通信制御方法のフローチャート。
【図１４】本発明の実施形態に係る２つのギャップ区間で構成されるメジャメントギャップを説明するための図。
【図１５】移動局ＵＥにおける通信制御方法を示す図。
【図１６】無線基地局ｅＮＢにおける通信制御方法を示す図。
【発明を実施するための形態】
【００２４】
（本発明の第１の実施形態に係る移動通信システムの構成）
以下、本発明の第１の実施形態に係る移動通信システムについて、図面を参照しつつ説明する。本実施形態を説明するための全図において、同一機能を有するものは同一符号を用い、繰り返しの説明は省略する。
【００２５】
本実施形態に係る移動通信システムは、例えば、ＬＴＥ-Ａｄｖａｎｃｅｄ方式が適用されるシステムである。すなわち、本実施形態に係る移動通信システムは、無線基地局ｅＮＢと、無線基地局ｅＮＢと通信する移動局ＵＥとを具備し、無線基地局ｅＮＢ及び移動局ＵＥは、ＬＴＥ-Ａｄｖａｎｃｅｄ方式を用いて、通信を行う。なお、移動局ＵＥは、ユーザ装置と呼ばれてもよい。
【００２６】
以下に、本実施形態に係る移動通信システムにおいて用いられる通信チャネルの説明を行う。
【００２７】
本実施形態に係る移動通信システムでは、下りリンクにおいて、各移動局ＵＥで共有される「物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）」及び「物理下りリンク制御チャネル（ＰＤＣＣＨ：Ｐｈｙｓｉｃａｌ  Ｄｏｗｎｌｉｎｇ  Ｃｏｎｔｒｏｌ  Ｃｈａｎｎｅｌ）」が用いられる。
【００２８】
「物理下りリンク共有チャネル（ＰＤＳＣＨ）」を介して、ユーザデータ、すなわち、通常のデータ信号が伝送される。
【００２９】
また、「物理下りリンク制御チャネル（ＰＤＣＣＨ）」を介して、「物理下りリンク共有チャネル（ＰＤＳＣＨ）」を用いて通信を行う移動局ＵＥのＩＤやユーザデータのトランスポートフォーマットの情報（すなわち、下りスケジューリング情報）や、「物理上りリンク共有チャネル（ＰＵＳＣＨ）」を用いて通信を行う移動局ＵＥのＩＤやユーザデータのトランスポートフォーマットの情報（すなわち、上りスケジューリンググラント）等の制御信号が通知される。
【００３０】
「物理下りリンク制御チャネル（ＰＤＣＣＨ）」は、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ：Ｄｏｗｎｌｉｎｋ  Ｃｏｎｔｒｏｌ  Ｉｎｆｏｒｍａｔｉｏｎ）」と呼ばれてもよい。
【００３１】
また、下りリンクにおいては、報知情報が、論理チャネルとしての「ＢＣＣＨ：Ｂｒｏａｄｃａｓｔ  Ｃｏｎｔｒｏｌ  Ｃｈａｎｎｅｌ」にマッピングされて送信される。
【００３２】
ここで、「ＢＣＣＨ」を介して送信される情報の一部は、トランスポートチャネルである「ＢＣＨ：Ｂｒｏａｄｃａｓｔ  Ｃｈａｎｎｅｌ」にマッピングされ、「ＢＣＨ」にマッピングされた情報は、物理チャネルである「Ｐ-ＢＣＨ：Ｐｈｙｓｉｃａｌ  Ｂｒｏａｄｃａｓｔ  Ｃｈａｎｎｅｌ」を介して、該当するセル内の移動局ＵＥに送信される。
【００３３】
また、「ＢＣＣＨ」を介して送信される情報の一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、「ＤＬ-ＳＣＨ」にマッピングされた情報は、物理チャネルである「物理下りリンク共有チャネル（ＰＤＳＣＨ）」を介して、該当するセル内の移動局ＵＥに送信される。
【００３４】
本実施形態に係る移動通信システムでは、上りリンクにおいて、各移動局ＵＥで共有して使用される「物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）」及び「物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）」が用いられる。
【００３５】
かかる「物理上りリンク共有チャネル（ＰＵＳＣＨ）」により、ユーザデータ、すなわち、通常のデータ信号が伝送される。
【００３６】
また、「物理上りリンク制御チャネル（ＰＵＣＣＨ）」により、「物理下りリンク共有チャネル（ＰＤＳＣＨ）」のスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、「物理下りリンク共有チャネル（ＰＤＳＣＨ）」における送達確認情報（Ａｃｋｎｏｗｌｅｄｇｅｍｅｎｔ  Ｉｎｆｏｒｍａｔｉｏｎ）が伝送される。
【００３７】
かかる下りリンクの品質情報は、「ＣＱＩ」や「ＰＭＩ（Ｐｒｅ-ｃｏｄｉｎｇ  Ｍａｔｒｉｘ  Ｉｎｄｉｃａｔｏｒ）」や「ＲＩ（Ｒａｎｋ  Ｉｎｄｉｃａｔｏｒ）」をまとめたインディケータである「ＣＳＩ（Ｃｈａｎｎｅｌ  Ｓｔａｔｅ  Ｉｎｄｉｃａｔｏｒ）」と呼ばれてもよい。
【００３８】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００３９】
上述した、本実施形態に係る移動通信システムにおいて用いられる通信チャネルに関する動作は、後述するキャリアアグリゲーションが行われる場合には、１つのコンポーネントキャリアの中で行われてもよいし、複数のコンポーネントキャリアに跨って行われてもよい。例えば、あるコンポーネントキャリアで下りスケジューリング情報が送信され、また別のコンポーネントキャリアで、かかる下りスケジューリング情報に対応する物理下りリンク共有チャネルが送信されてもよい。あるいは、あるコンポーネントキャリアで上りスケジューリンググラントが送信され、また別のコンポーネントキャリアで、かかる上りスケジューリンググラントに対応する物理上りリンク共有チャネルが送信されてもよい。かかるスケジューリングは、クロスキャリアスケジューリングと呼ばれてもよい。
【００４０】
ＬＴＥ-Ａｄｖａｎｃｅｄ方式が適用される場合には、「キャリアアグリゲーション（Ｃａｒｒｉｅｒ Ａｇｇｒｅｇａｔｉｏｎ）」が適用されてもよい。すなわち、上りリンク又は下りリンクにおいて、「コンポーネントキャリア（Ｃｏｍｐｏｎｅｎｔ  Ｃａｒｒｉｅｒ）」を複数用いた通信が行われる。
【００４１】
ここで、「コンポーネントキャリア」とは、ＬＴＥ方式における１つのシステムキャリアに相当する。すなわち、ＬＴＥ方式では、１つの「コンポーネントキャリア」で通信が行われていたが、ＬＴＥ-Ａｄｖａｎｃｅｄ方式では、２つ以上の「コンポーネントキャリア」で通信が行われてもよい。
【００４２】
例えば、図４に示すように、本実施形態に係る移動通信システムでは、第１のコンポーネントキャリア（図中ではＦ１）が用いられるセル（第１通信エリア）と、第２のコンポーネントキャリア（図中ではＦ２）が用いられるセル（第２通信エリア）とが、地理的に重複している。なお、図２においては、第１通信エリアと第２通信エリアが、地理的にほぼ完全に重複しているが、代わりに、少なくとも一部で地理的に重複していてもよい。
【００４３】
また、図４には示されていないが、第１のコンポーネントキャリア及び第２のコンポーネントキャリアに加えて、第３のコンポーネントキャリアが存在してもよい。あるいは、４つ以上のコンポーネントキャリアが存在してもよい。
【００４４】
以下の説明では、第１のコンポーネントキャリア（以下、第１キャリアと呼ぶ）と、第２のコンポーネントキャリア（以下、第２キャリアと呼ぶ）とを用いて、キャリアアグリゲーションが行われると想定する。
【００４５】
また、第１キャリアはプライマリコンポーネントキャリアであり、第２キャリアはセカンダリコンポーネントキャリアである。尚、プライマリコンポーネントキャリアは、複数のコンポーネントキャリアの中で、最も重要であるコンポーネントキャリアである。プライマリコンポーネントキャリアは、Ｄｅ−ａｃｔｉｖａｔｅｄ状態のないキャリアである。すなわち、プライマリコンポーネントキャリアは、常に有効化されているキャリアである。
【００４６】
また、第２キャリアはセカンダリコンポーネントキャリアであり、Ｄｅ−ａｃｔｉｖａｔｅｄ状態とＡｃｔｉｖａｔｅｄ状態とが存在する。すなわち、第２キャリアは、有効化されていない状態と有効化されている状態とが存在する。
【００４７】
尚、一般に、プライマリコンポーネントキャリアは１つであるが、セカンダリコンポーネントキャリアは１つであってもよいし、２つ以上であってもよい。
【００４８】
第２キャリアが有効化されていない場合、すなわち、Ｄｅ−ａｃｔｉｖａｔｅｄ状態である場合、第２キャリアでのデータの送受信は基本的に行われず、かつ、セルサーチやメジャメント、無線リンクのモニタリングは、その頻度が低減されて行われる。尚、無線リンクのモニタリングは行われてもよいし、行われなくてもよい。この場合、移動局ＵＥは、第２キャリアのための処理の負荷、すなわち、上述した、セルサーチやメジャメント、無線リンクのモニタリングの処理の負荷を低減できるため、バッテリーセービングを行うことが可能となる。
【００４９】
一方、第２キャリアが有効化されている場合、すなわち、Ａｃｔｉｖａｔｅｄ状態である場合、かかる第２キャリアにおいてデータの送受信が行われ、かつ、セルサーチやメジャメント、無線リンクのモニタリングも適切な頻度で行われる。前記適切な頻度とは、例えば、第２キャリアにおけるハンドオーバを適切に行うために必要な頻度であってもよい。
【００５０】
次に、図５を用いて、本実施形態に係る移動局及び無線基地局の動作を示す。より具体的には、プライマリコンポーネントキャリアである第１キャリアとセカンダリコンポーネントキャリアである第２キャリアとが存在し、かつ、前記第２キャリアの測定のためのメジャメントギャップが設定されている場合の第１キャリア及び第２キャリアにおける通信の動作、及び、セルサーチやメジャメント、無線リンクのモニタリングの動作を示す。尚、前記第２キャリアには、Ａｃｔｉｖａｔｅｄ状態である場合とＤｅ−ａｃｔｉｖａｔｅｄ状態である場合がある。ここで、本実施形態に係る移動局及び無線基地局の動作において、前記第２キャリアの測定のためのメジャメントギャップは、前記第２キャリアがＤｅ−ａｃｔｉｖａｔｅｄ状態である場合にのみ適用され、前記第２キャリアがＡｃｔｉｖａｔｅｄ状態である場合には適用されない。前記メジャメントギャップの詳細を以下に説明する。
【００５１】
図５において、第２キャリアは、ポイントＣ１までの時間は、Ａｃｔｉｖａｔｅｄ状態であり、ポイントＣ１以降の時間は、Ｄｅ−ａｃｔｉｖａｔｅｄ状態である。また、第１キャリアには、第２キャリアの測定のためのメジャメントギャップが定義されている。より具体的には、区間Ｂ１、及び、区間Ｂ２が、メジャメントギャップとして定義されている区間である。尚、区間Ｂ１は、第２キャリアがＡｃｔｉｖａｔｅｄ状態であり、かつ、メジャメントギャップが適用される区間であり、区間Ｂ２は、第２キャリアがＤｅ−ａｃｔｉｖａｔｅｄ状態であり、かつ、メジャメントギャップが適用される区間である。また、区間Ｂ３は、メジャメントギャップが適用されない区間である。
【００５２】
前記メジャメントギャップは、上述したように、例えば、異なる周波数のキャリアや異なる移動通信システムのキャリアを測定するためのギャップ区間であり、例えば、その大きさは、６ｍｓといった値であってもよい。尚、前記メジャメントギャップの大きさは、８ｍｓや９ｍｓなど、６ｍｓより大きい値であってもよい。また、メジャメントギャップの周期は、例えば、４０ｍｓや８０ｍｓという値であってもよい。あるいは、メジャメントギャップの周期は、例えば、２０ｍｓや１２８０ｍｓなど、４０ｍｓや８０ｍｓ以外の値であってもよい。尚、無線基地局ｅＮＢと移動局ＵＥとで、前記メジャメントギャップのギャップ区間のタイミングが一致するのであれば、どのようなパターンの、あるいは、どのような形のメジャメントギャップが設定されてもよい。
【００５３】
ここで、移動局ＵＥ及び無線基地局ｅＮＢは、第２キャリアがＡｃｔｉｖａｔｅｄ状態である場合、すなわち、第２キャリアが有効化されている場合に、前記メジャメントギャップ（区間Ｂ１）を考慮せずに、第１キャリアの通信を行う。すなわち、移動局ＵＥ及び無線基地局ｅＮＢは、第２キャリアが有効化されている場合には、第２キャリアの測定のためのメジャメントギャップにおいても、第１キャリアの通信を行う。
【００５４】
ここで、移動局ＵＥにおける第１キャリアの通信には、例えば、下りリンクにおいて下りリンクの信号を受信する処理や、上りリンクにおいて上りリンクの信号を送信する処理が含まれてもよい。また、移動局ＵＥにおける前記第１キャリアの通信には、前記第１キャリアに関するセルサーチやメジャメント、無線リンクのモニタリングが含まれてもよい。また、無線基地局ｅＮＢにおける第１キャリアの通信には、例えば、下りリンクにおいて下りリンクの信号を送信する処理や、上りリンクにおいて上りリンクの信号を受信する処理が含まれてもよい。
【００５５】
一方、移動局ＵＥ及び無線基地局ｅＮＢは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアの通信を行わない。すなわち、移動局ＵＥ及び無線基地局ｅＮＢは、第２キャリアが有効化されていない場合には、第２キャリアの測定のためのメジャメントギャップにおいて、第１キャリアの通信を行わない。
【００５６】
また、移動局ＵＥは、第２キャリアがＡｃｔｉｖａｔｅｄ状態である場合、すなわち、第２キャリアが有効化されている場合に、前記メジャメントギャップ（区間Ｂ１）を考慮せずに、第２キャリアの測定、すなわち、セルサーチやメジャメント、無線リンクのモニタリングを行ってもよい。ここで、前記メジャメントギャップ（区間Ｂ１）を考慮せずに、第２キャリアの測定を行うとは、例えば、区間Ｂ１または区間Ｂ３の内の任意のタイミングにおいて、前記第２キャリアの測定を行うことを意味してもよい。
【００５７】
一方、移動局ＵＥは、第２キャリアがＤｅ−ａｃｔｉｖａｔｅｄ状態である場合、すなわち、第２キャリアが有効化されていない場合に、前記メジャメントギャップ（区間Ｂ２）において、第２キャリアの測定、すなわち、セルサーチやメジャメント、無線リンクのモニタリングを行ってもよい。
【００５８】
尚、移動局ＵＥ及び無線基地局ｅＮＢは、メジャメントギャップが適用されない区間（区間Ｂ３）においては、第２キャリアがＡｃｔｉｖａｔｅｄ状態であるか、Ｄｅ−ａｃｔｉｖａｔｅｄ状態であるかに関係なく、第１キャリアの通信を行ってもよい。
【００５９】
尚、前記区間Ｂ１は、上述したように、シグナリングの観点でメジャメントギャップとして設定されているが、前記第２キャリアがＡｃｔｉｖａｔｅｄ状態であるため、メジャメントギャップとして適用されない区間であるとみなされてもよい。あるいは、前記区間Ｂ１は、前記第２キャリアの測定のためのメジャメントギャップが、第２キャリアがＤｅ−ａｃｔｉｖａｔｅｄ状態である場合にのみ適用されるメジャメントギャップであるため、シグナリングの観点でメジャメントギャップとして設定されていない区間であるとみなされてもよい。後者の場合、前記区間Ｂ１は、前記第２キャリアがＤｅ−ａｃｔｉｖａｔｅｄ状態であったと仮定した場合に設定されるメジャメントギャップであるとみなされてもよい。
【００６０】
本実施形態を行うことの効果を以下に説明する。
【００６１】
第２キャリアがＡｃｔｉｖａｔｅｄ状態である場合、移動局ＵＥの受信機は図２の状態にあり、移動局ＵＥは第１キャリアと第２キャリアの両方の信号を同時に受信可能である。この場合、移動局ＵＥは、第２キャリアの測定のためのメジャメントギャップなしに、第２キャリアの測定を行うことが可能となり、前記メジャメントギャップを無視することが可能である。よって、移動局ＵＥ及び無線基地局ｅＮＢが、第２キャリアがＡｃｔｉｖａｔｅｄ状態である場合には、第２キャリアの測定のためのメジャメントギャップを無視して、第１キャリアの通信を行うことにより、メジャメントギャップによる第１キャリアのスループットの劣化を防ぐことが可能となる。
【００６２】
一方、第２キャリアがＤｅ−ａｃｔｉｖａｔｅｄ状態である場合、移動局ＵＥの受信機は基本的には図３の状態にあり、移動局ＵＥは第１キャリアの信号のみ受信可能である。この場合、移動局ＵＥは、第２キャリアの測定のためのメジャメントギャップを用いて、第２キャリアの測定を行い、かつ、移動局ＵＥ及び無線基地局ｅＮＢは、第１キャリアの通信を停止する。このように、移動局ＵＥ及び無線基地局ｅＮＢの間で予め決められたメジャメントギャップが設定され、前記メジャメントギャップでは、移動局ＵＥは第２キャリアの測定を行い、かつ、移動局ＵＥ及び無線基地局ｅＮＢが第１キャリアの通信を行わないことにより、上述した、移動局ＵＥが、送受信を行うつもりのデータを欠落するといった事象を回避することが可能となる。
【００６３】
まとめると、本実施形態により、セカンダリコンポーネントキャリアである第２キャリアの測定のためのメジャメントギャップを設定している状態において、前記セカンダリコンポーネントキャリアが有効化されている場合には、前記メジャメントギャップを無視することにより、メジャメントギャップによるスループットの劣化を回避し、一方で、前記セカンダリコンポーネントキャリアが有効化されていない場合には、前記メジャメントギャップを考慮して第１キャリアの通信を停止しつつ、第２キャリアの測定を行うことにより、移動局ＵＥにおいて、送受信を行うつもりのデータが欠落されるという事象を回避することが可能となる。
【００６４】
尚、Ａｃｔｉｖａｔｅｄ状態とＤｅ−ａｃｔｉｖａｔｅ状態との間の遷移は、より迅速に制御を行うため、ＭＡＣレイヤで行われるが、メジャメントギャップの設定は、ＭＡＣレイヤの上位レイヤであるＲＲＣレイヤで行われる。よって、Ａｃｔｉｖａｔｅｄ状態とＤｅ−ａｃｔｉｖａｔｅｄ状態との間の遷移に応じて、メジャメントギャップの設定及び非設定を行うと、上述した、より迅速に制御を行うというＭＡＣレイヤでの制御のメリットが消失される。すなわち、メジャメントギャップの設定は、Ａｃｔｉｖａｔｅｄ状態、Ｄｅ−ａｃｔｉｖａｔｅ状態に関係なく行われる必要がある。言い換えれば、本実施形態に係る移動局及び無線基地局装置により、ＲＲＣレイヤでのメジャメントギャップの設定を行うことなしに、メジャメントギャップを用いるか否かを制御することが可能となり、ＭＡＣレイヤで迅速に制御を行うというＡｃｔｉｖａｔｉｏｎ／Ｄｅ−ａｃｔｉｖａｔｉｏｎ制御のメリットを維持しつつ、適切なメジャメントを行うことが可能となる。
【００６５】
尚、図５に示した例において、メジャメントギャップとして、周期的に一定の長さのギャップが適用されているが、代わりに、図６に示すように、メジャメントギャップとして、周期的に２つのギャップ区間に分割されたギャップが適用されてもよい。尚、前記２つのギャップ区間の間の区間は、メジャメントギャップが適用されない区間、すなわち、図５における区間Ｂ３と同等の区間となる。尚、前記２つのギャップ区間の大きさは、例えば、それぞれ、２ｍｓであってもよい。あるいは、前記２つのギャップ区間の大きさは、それぞれ、２ｍｓ以外の値であってもよい。
【００６６】
図６に示すメジャメントギャップは、例えば、図７に示すように、周期が同じである２組のギャップ区間が設定され、かつ、前記２組のギャップ区間の間の時間が一定であるメジャメントギャップと表現されてもよい。
【００６７】
あるいは、図６に示すメジャメントギャップは、例えば、図８に示すように、一定の時間だけ分離された２つのギャップ区間から構成されるメジャメントギャップであると表現されてもよい。この場合、前記一定の時間だけ分離された２つのギャップ区間から構成されるメジャメントギャップは、通常のメジャメントギャップと同様、一定の周期で設定されてもよい。
【００６８】
上述したように、移動局ＵＥの受信機は、図２の状態から図３の状態、あるいは、図３の状態から図２の状態に遷移する際に、第１キャリア及び第２キャリアとの通信を停止する必要がある。すなわち、移動局ＵＥは、第１キャリアのみと通信を行う状態と第１キャリアと第２キャリアの両方と通信を行う状態の遷移区間においてのみ、第１キャリア及び第２キャリアとの通信を停止する必要がある。言い換えれば、移動局ＵＥは、図５に示す区間Ｂ２の内の真ん中の区間においては、第１キャリアと第２キャリアの両方の信号を受信することが可能であり、メジャメントギャップとして定義する必要はない。よって、図６乃至図８に示すように、メジャメントギャップを２つのギャップ区間に分割し、その２つのギャップ区間をメジャメントギャップと設定しないことにより、第１キャリアの通信が停止される区間を低減することが可能となり、結果として、第１キャリアの通信のスループットを向上させることが可能となる。
【００６９】
尚、図６乃至図８に示した、分離された２つのギャップ区間の内、時間的に１つ目のギャップ区間の大きさを、図９に示すように、時間的に２つ目のギャップ区間のよりも大きくてもよい。尚、時間的に１つ目のギャップ区間の大きさを、時間的に２つ目のギャップ区間の大きさよりも大きくすることの効果は後述する。
【００７０】
より具体的には、前記時間的に１つ目のギャップ区間、及び、時間的に２つ目のギャップ区間は、例えば、それぞれ、６ｍｓ、及び、１ｍｓであってもよい。あるいは、前記時間的に１つ目のギャップ区間、及び、時間的に２つ目のギャップ区間は、例えば、それぞれ、４ｍｓ、及び、２ｍｓであってもよく、あるいは、前記時間的に１つ目のギャップ区間が、前記時間的に２つ目のギャップ区間の大きさよりも大きいのであれば、それ以外の値であってもよい。
【００７１】
尚、図５に示した例において、メジャメントギャップとして、周期的に一定の長さのギャップが適用されているが、代わりに、図１４に示すように、４つの区間から構成される、ＳＣＣ（Ｓｅｃｏｎｄａｒｙ  Ｃｏｍｐｏｎｅｎｔ  Ｃａｒｒｉｅｒ）用メジャメント区間が適用されてもよい。前記４つの区間は、時間的に先頭から、第１区間、第２区間、第３区間、第４区間と呼ばれてもよい。尚、前記ＳＣＣ用メジャメント区間に関しても、図５乃至図６に示した第２キャリアの測定のためのメジャメントギャップと同様に、第２キャリアがＤｅ−ａｃｔｉｖａｔｅｄ状態である場合のみ適用され、第２キャリアがＡｃｔｉｖａｔｅｄ状態である場合には適用されない、すなわち、無視される。
【００７２】
例えば、前記第１区間、第２区間、第３区間、第４区間の大きさは、それぞれ、２ｍｓ、４ｍｓ、５ｍｓ、２ｍｓであってもよい。あるいは、前記第１区間、第２区間、第３区間、第４区間の大きさは、上記以外の値であってもよい。
【００７３】
前記ＳＣＣ用メジャメント区間の第１区間及び第４区間は、上述の図６乃至図９における２つに分割されたギャップ区間と同等である。すなわち、前記第１区間、及び、第４区間は、移動局ＵＥの受信機が中心周波数等の切り替えを行う時間とみなされ、第１キャリアの通信は行われない。すなわち、前記第１区間及び第４区間は、メジャメントギャップとみなされて、第１キャリアの通信は行われない。すなわち、無線基地局ｅＮＢ及び移動局ＵＥは、前記第１区間、及び、第４区間においては、第１キャリアの通信を行わない。尚、前記第１区間、及び、第４区間においては、同様の理由で、第２キャリアの通信も行われない。
【００７４】
前記ＳＣＣ用メジャメント区間の第２区間及び第３区間は、第１キャリアにとっては、上述の図６乃至図９における２つに分割されたギャップ区間の間の区間と同等である。この場合、前記第２区間、及び、第３区間は、移動局ＵＥの受信機としては図２の状態にあり、第１キャリアの通信は行われる。すなわち、無線基地局ｅＮＢ及び移動局ＵＥは、前記第２区間、及び、第３区間においては、第１キャリアの通信を行う。すなわち、前記第２区間及び第３区間は、第１キャリアにとってはメジャメントギャップではなく、通常の区間とみなされ、第１キャリアの通信は行われる。
【００７５】
一方、前記ＳＣＣ用メジャメント区間の第２区間及び第３区間は、第２キャリアにとっても、上述の図６乃至図９における２つに分割されたギャップ区間の間の区間と同等である。しかしながら、第２キャリアがＤｅ−ａｃｔｉｖａｔｅｄ状態である場合、移動局ＵＥは、第２キャリアに関する測定、例えば、セルサーチやメジャメント、サービングセルとのパスロスの測定等を低頻度で行っており、通信を開始する前に再度前記第２キャリアに関する測定を行い、その精度を向上させ、通信の品質を上げることが望ましい。よって、前記ＳＣＣ用メジャメント区間の第２区間においては、移動局ＵＥにおいて第２キャリアの測定を行われ、移動局ＵＥと無線基地局ｅＮＢとの間で第２キャリアの通信は行われないという動作であってもよい。すなわち、無線基地局ｅＮＢ及び移動局ＵＥは、前記第２区間においては、第２キャリアの通信を行わない。そして、前記ＳＣＣ用メジャメント区間の第３区間において、第２キャリアの通信が行われる。すなわち、無線基地局ｅＮＢ及び移動局ＵＥは、前記第３区間においては、第２キャリアの通信を行う。尚、移動局ＵＥは、前記ＳＣＣ用メジャメント区間の第３区間においても、前記第２キャリアの測定を行ってもよい。
【００７６】
すなわち、移動局ＵＥは、前記ＳＣＣ用メジャメント区間の第２区間において、第２キャリアのセルサーチやメジャメント、パスロスの測定を行い、かつ、第２キャリアにおいて上りリンクの送信も、下りリンクの受信も行わない。そして、移動局ＵＥは、前記ＳＣＣ用メジャメント区間の第３区間において、第２キャリアにおいて上りリンクの送信や下りリンクの受信を行う。また、無線基地局ｅＮＢは、前記ＳＣＣ用メジャメント区間の第２区間において、第２キャリアにおける上りリンクの受信も下りリンクの送信も行わず、前記ＳＣＣ用メジャメント区間の第３区間において、第２キャリアにおける上りリンクの受信や下りリンクの送信を行う。
【００７７】
尚、下りリンクの通信に関しては、上述したパスロスの測定等が不要であるため、前記第２区間及び第３区間の両方において行われてもよい。この場合、前記第２区間においては、上りリンクの通信のみが行われない。すなわち、移動局ＵＥは、前記ＳＣＣ用メジャメント区間の第２区間において、第２キャリアのセルサーチやメジャメント、パスロスの測定と下りリンクの受信を行い、かつ、第２キャリアにおいて上りリンクの送信を行わない。そして、移動局ＵＥは、前記ＳＣＣ用メジャメント区間の第３区間において、第２キャリアにおいて上りリンクの送信と下りリンクの受信の両方を行う。また、無線基地局ｅＮＢは、前記ＳＣＣ用メジャメント区間の第２区間において、第２キャリアにおける下りリンクの送信を行い、かつ、上りリンクの受信を行わず、前記ＳＣＣ用メジャメント区間の第３区間において、第２キャリアにおける上りリンクの受信と下りリンクの送信の両方を行う。
【００７８】
尚、図５乃至図９、及び、図１４を用いて説明した、本実施形態に係るメジャメントギャップに関連する移動局ＵＥ及び無線基地局ｅＮＢの動作は、第１キャリアと第２キャリアが同一の周波数バンドに属する場合にのみ適用され、第１キャリアと第２キャリアが異なる周波数バンドに属する場合には適用されなくてもよい。
【００７９】
一般に、第１キャリアと第２キャリアが異なる周波数バンドに属する場合、移動局ＵＥは、第１キャリアと第２キャリアで別々の受信機を有するため、図２及び図３に示したような中心周波数の切り替え等が発生せず、結果として、それに伴うデータの欠落は生じない。よって、第１キャリアと第２キャリアが異なる周波数バンドに属する場合には、上述した、本実施形態に係るメジャメントギャップに関連する移動局ＵＥ及び無線基地局ｅＮＢの動作は不要となる。言い換えれば、移動局ＵＥ及び無線基地局ｅＮＢは、第１キャリアと第２キャリアが同一の周波数バンドに属する場合にのみ、メジャメントギャップを設定し、かつ、第２キャリアがＤｅ−ａｃｔｉｖａｔｅｄ状態である場合のみ前記メジャメントギャップが存在するとみなし、第２キャリアがＡｃｔｉｖａｔｅｄ状態である場合は前記メジャメントギャップが存在しないとみなすという動作を行い、第１キャリアと第２キャリアが異なる周波数バンドに属する場合には、メジャメントギャップを設定しない。この場合、第１キャリアと第２キャリアが異なる周波数バンドに属する場合には、移動局ＵＥは、任意のタイミングで第２キャリアの測定を行うが可能となり、結果として、より柔軟な測定処理を行うことが可能となる。
【００８０】
また、セカンダリキャリアが複数ある場合には、図５乃至図６に示す区間Ｂ１及び区間Ｂ２、あるいは、図１４におけるＳＣＣ用メジャメント区間は、前記複数のセカンダリキャリア（上図の例では、第２キャリア）の間で同一の時間に設定されてもよい。
【００８１】
図１０に示すように、移動局ＵＥは、第１通信部１０２と、第２通信部１０４と、Ａｃｔｉｖａｔｉｏｎ／Ｄｅ−ａｃｔｉｖａｔｉｏｎ制御部１０６と、ギャップ制御部１０８とを具備している。また、第１通信部１０２は、第１下りリンク受信部１０２Ａと第１上りリンク送信部１０２Ｂと第１測定部１０２Ｃとを具備し、第２通信部１０４は、第２下りリンク受信部１０４Ａと第２上りリンク送信部１０４Ｂと第２測定部１０４Ｃとを具備している。
【００８２】
尚、図１０においては、移動局ＵＥにおけるベースバンド処理に関する機能部が例示されており、移動局ＵＥにおけるＲＦ（無線部分）の処理に関する機能部は例示されていない。すなわち、図２、３に示した受信機は、ＲＦの処理に関する機能部に含まれるため、例示されていない。尚、本実施形態に示す移動局ＵＥの構成は、前記ＲＦの処理に関する機能部に関係なく適用されてよい。
【００８３】
第１通信部１０２と、第１下りリンク受信部１０２Ａと、第１上りリンク送信部１０２Ｂと、第１測定部１０２Ｃと、第２通信部１０４と、第２下りリンク受信部１０４Ａと、第２上りリンク送信部１０４Ｂと、第２測定部１０４Ｃと、Ａｃｔｉｖａｔｉｏｎ／Ｄｅ−ａｃｔｉｖａｔｉｏｎ制御部１０６と、ギャップ制御部１０８とは、互いに接続されている。
【００８４】
第１通信部１０２は、第１キャリアに関する通信を行う。例えば、第１通信部１０２は、第１キャリアにおける下りリンクの受信や上りリンクの送信、第１キャリアに関するセルサーチやメジャメント、無線リンクのモニタリング等を行う。
【００８５】
以下に、図５乃至図６に示すメジャメントギャップが設定されている場合の第１通信部１０２の動作を示す。
【００８６】
第１通信部１０２は、第２キャリアがＡｃｔｉｖａｔｅｄ状態である場合、すなわち、第２キャリアが有効化されている場合に、前記メジャメントギャップ（区間Ｂ１）を考慮せずに、第１キャリアの通信を行う。すなわち、第１通信部１０２は、第２キャリアが有効化されている場合には、第２キャリアの測定のためのメジャメントギャップにおいても、第１キャリアの通信を行う。
【００８７】
また、第１通信部１０２は、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアの通信を行わない。すなわち、第１通信部１０２は、第２キャリアが有効化されていない場合には、第２キャリアの測定のためのメジャメントギャップにおいては、第１キャリアの通信を行わない。
【００８８】
尚、以下に、図１４に示すＳＣＣ用メジャメント区間が設定されている場合の第１通信部１０２の動作を示す。
【００８９】
第１通信部１０２は、第２キャリアがＡｃｔｉｖａｔｅｄ状態である場合、すなわち、第２キャリアが有効化されている場合に、前記ＳＣＣ用メジャメント区間を考慮せずに、第１キャリアの通信を行う。すなわち、第１通信部１０２は、第２キャリアが有効化されている場合には、ＳＣＣ用メジャメント区間の内の第１区間及び第２区間及び第３区間及び第４区間においても、第１キャリアの通信を行う。
【００９０】
また、第１通信部１０２は、第２キャリアがＤｅ−ａｃｔｉｖａｔｅｄ状態である場合、すなわち、第２キャリアが有効化されていない場合に、前記ＳＣＣ用メジャメント区間を考慮し、前記ＳＣＣ用メジャメント区間の内の第１区間及び第４区間において、第１キャリアの通信を行わない。すなわち、第１通信部１０２は、第２キャリアが有効化されていない場合には、前記ＳＣＣ用メジャメント区間の内の第１区間及び第４区間においては、第１キャリアの通信を行わない。尚、第１通信部１０２は、第２キャリアが有効化されていない場合に、前記ＳＣＣ用メジャメント区間の内の第２区間及び第３区間においては、第１キャリアの通信を行ってもよい。
【００９１】
第１下りリンク受信部１０２Ａは、第１キャリアにおける下りリンクの信号の受信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【００９２】
以下に、図５乃至図６に示すメジャメントギャップが設定されている場合の第１下りリンク受信部１０２Ａの動作を示す。
【００９３】
第１下りリンク受信部１０２Ａは、第２キャリアがＡｃｔｉｖａｔｅｄ状態である場合、すなわち、第２キャリアが有効化されている場合に、前記メジャメントギャップ（区間Ｂ１）を考慮せずに、第１キャリアにおける下りリンクの信号の受信を行う。すなわち、第１下りリンク受信部１０２Ａは、第２キャリアが有効化されている場合には、第２キャリアの測定のためのメジャメントギャップにおいても、第１キャリアにおける下りリンクの信号の受信を行う。
【００９４】
また、第１下りリンク受信部１０２Ａは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアにおける下りリンクの信号の受信を行わない。すなわち、第１下りリンク受信部１０２Ａは、第２キャリアが有効化されていない場合には、第２キャリアの測定のためのメジャメントギャップにおいては、第１キャリアにおける下りリンクの信号の受信を行わない。
【００９５】
尚、以下に、図１４に示すＳＣＣ用メジャメント区間が設定されている場合の第１下りリンク受信部１０２Ａの動作を示す。
【００９６】
第１下りリンク受信部１０２Ａは、第２キャリアがＡｃｔｉｖａｔｅｄ状態である場合、すなわち、第２キャリアが有効化されている場合に、前記ＳＣＣ用メジャメント区間を考慮せずに、第１キャリアにおける下りリンクの信号の受信を行う。すなわち、第１下りリンク受信部１０２Ａは、第２キャリアが有効化されている場合には、第２キャリアの測定のためのＳＣＣ用メジャメント区間の第１区間及び第２区間及び第３区間及び第４区間においても、第１キャリアにおける下りリンクの信号の受信を行う。
【００９７】
また、第１下りリンク受信部１０２Ａは、第２キャリアがＤｅ−ａｃｔｉｖａｔｅｄ状態である場合、すなわち、第２キャリアが有効化されていない場合に、前記ＳＣＣ用メジャメント区間を考慮し、第１キャリアにおける下りリンクの信号の受信を行わない。すなわち、第１下りリンク受信部１０２Ａは、第２キャリアが有効化されていない場合には、ＳＣＣ用メジャメント区間の第１区間及び第４区間においては、第１キャリアにおける下りリンクの信号の受信を行わない。尚、第１下りリンク受信部１０２Ａは、第２キャリアが有効化されていない場合に、ＳＣＣ用メジャメント区間の第２区間及び第３区間においては、第１キャリアにおける下りリンクの信号の受信を行ってもよい。
【００９８】
第１上りリンク送信部１０２Ｂは、第１キャリアにおける上りリンクの信号の送信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【００９９】
以下に、図５乃至図６に示すメジャメントギャップが設定されている場合の第１上りリンク送信部１０２Ｂの動作を示す。
【０１００】
第１上りリンク送信部１０２Ｂは、第２キャリアがＡｃｔｉｖａｔｅｄ状態である場合、すなわち、第２キャリアが有効化されている場合に、前記メジャメントギャップ（区間Ｂ１）を考慮せずに、第１キャリアにおける上りリンクの信号の送信を行う。すなわち、第１上りリンク送信部１０２Ｂは、第２キャリアが有効化されている場合には、第２キャリアの測定のためのメジャメントギャップにおいても、第１キャリアにおける上りリンクの信号の送信を行う。
【０１０１】
また、第１上りリンク送信部１０２Ｂは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアにおける上りリンクの信号の送信を行わない。すなわち、第１上りリンク送信部１０２Ｂは、第２キャリアが有効化されていない場合には、第２キャリアの測定のためのメジャメントギャップにおいては、第１キャリアにおける上りリンクの信号の送信を行わない。
【０１０２】
尚、以下に、図１４に示すＳＣＣ用メジャメント区間が設定されている場合の第１上りリンク送信部１０２Ｂの動作を示す。
【０１０３】
第１上りリンク送信部１０２Ｂは、第２キャリアがＡｃｔｉｖａｔｅｄ状態である場合、すなわち、第２キャリアが有効化されている場合に、前記ＳＣＣ用メジャメント区間を考慮せずに、第１キャリアにおける上りリンクの信号の送信を行う。すなわち、第１上りリンク送信部１０２Ｂは、第２キャリアが有効化されている場合には、第２キャリアの測定のためのＳＣＣ用メジャメント区間の第１区間及び第２区間及び第３区間及び第４区間においても、第１キャリアにおける上りリンクの信号の送信を行う。
【０１０４】
また、第１上りリンク送信部１０２Ｂは、第２キャリアがＤｅ−ａｃｔｉｖａｔｅｄ状態である場合、すなわち、第２キャリアが有効化されていない場合に、前記ＳＣＣ用メジャメント区間を考慮し、第１キャリアにおける上りリンクの信号の送信を行わない。すなわち、第１上りリンク送信部１０２Ｂは、第２キャリアが有効化されていない場合には、ＳＣＣ用メジャメント区間の第１区間及び第４区間においては、第１キャリアにおける上りリンクの信号の送信を行わない。尚、第１上りリンク送信部１０２Ｂは、第２キャリアが有効化されていない場合に、ＳＣＣ用メジャメント区間の第２区間及び第３区間においては、第１キャリアにおける上りリンクの信号の送信を行ってもよい。
【０１０５】
第１測定部１０２Ｃは、第１キャリアにおけるセルサーチやメジャメント、無線リンクのモニタリング等の測定処理を行う。
【０１０６】
以下に、図５乃至図６に示すメジャメントギャップが設定されている場合の第１測定部１０２Ｃの動作を示す。
【０１０７】
第１測定部１０２Ｃは、第２キャリアがＡｃｔｉｖａｔｅｄ状態である場合、すなわち、第２キャリアが有効化されている場合に、前記メジャメントギャップ（区間Ｂ１）を考慮せずに、第１キャリアにおけるセルサーチやメジャメント、無線リンクのモニタリング等の測定処理を行う。すなわち、第１上りリンク送信部１０２Ｂは、第２キャリアが有効化されている場合には、第２キャリアの測定のためのメジャメントギャップにおいても、第１キャリアにおけるセルサーチやメジャメント、無線リンクのモニタリング等の測定処理を行う。
【０１０８】
また、第１測定部１０２Ｃは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアにおけるセルサーチやメジャメント、無線リンクのモニタリング等の測定処理を行わない。すなわち、第１測定部１０２Ｃは、第２キャリアが有効化されていない場合には、第２キャリアの測定のためのメジャメントギャップにおいては、第１キャリアにおけるセルサーチやメジャメント、無線リンクのモニタリング等の測定処理を行わない。
【０１０９】
尚、以下に、図１４に示すＳＣＣ用メジャメント区間が設定されている場合の第１測定部１０２Ｃの動作を示す。
【０１１０】
第１測定部１０２Ｃは、第２キャリアがＡｃｔｉｖａｔｅｄ状態である場合、すなわち、第２キャリアが有効化されている場合に、前記ＳＣＣ用メジャメント区間を考慮せずに、第１キャリアにおけるセルサーチやメジャメント、無線リンクのモニタリング等の測定処理を行う。すなわち、第１上りリンク送信部１０２Ｂは、第２キャリアが有効化されている場合には、ＳＣＣ用メジャメント区間の第１区間及び第２区間及び第３区間及び第４区間においても、第１キャリアにおけるセルサーチやメジャメント、無線リンクのモニタリング等の測定処理を行う。
【０１１１】
また、第１測定部１０２Ｃは、第２キャリアがＤｅ−ａｃｔｉｖａｔｅｄ状態である場合、すなわち、第２キャリアが有効化されていない場合に、前記ＳＣＣ用メジャメント区間を考慮し、第１キャリアにおけるセルサーチやメジャメント、無線リンクのモニタリング等の測定処理を行わない。すなわち、第１測定部１０２Ｃは、第２キャリアが有効化されていない場合には、ＳＣＣ用メジャメント区間の第１区間及び第４区間においては、第１キャリアにおけるセルサーチやメジャメント、無線リンクのモニタリング等の測定処理を行わない。尚、第１測定部１０２Ｃは、第２キャリアが有効化されていない場合には、ＳＣＣ用メジャメント区間の第２区間及び第３区間においても、第１キャリアにおけるセルサーチやメジャメント、無線リンクのモニタリング等の測定処理を行ってもよい。
【０１１２】
第２通信部１０４は、第２キャリアに関する通信を行う。例えば、第２通信部１０４は、第２キャリアにおける下りリンクの受信や上りリンクの送信、第２キャリアに関するセルサーチやメジャメント、無線リンクのモニタリング等を行う。
【０１１３】
第２通信部１０４は、上述したように、第２キャリアがＡｃｔｉｖａｔｅｄ状態である場合には、通常のデータの送受信を行い、かつ、適切な頻度で第２キャリアの測定を行う。一方、第２通信部１０４は、第２キャリアがＤｅ−ａｃｔｉｖａｔｅｄ状態である場合には、通常のデータの送受信を行わず、かつ、測定の頻度を少なくして、第２キャリアの測定を行う。
【０１１４】
尚、図１４に示すＳＣＣ用メジャメント区間が設定されている場合の第２通信部１０４の動作を以下に示す。第２通信部１０４は、第２キャリアがＡｃｔｉｖａｔｅｄ状態である場合には、前記ＳＣＣ用メジャメント区間を無視して、第２キャリアにおける通常のデータの送受信を行い、かつ、適切な頻度で第２キャリアの測定を行い、一方、第２通信部１０４は、第２キャリアがＤｅ−ａｃｔｉｖａｔｅｄ状態である場合には、上述したように、前記ＳＣＣ用メジャメント区間の一部においてのみ、第２キャリアでの上りリンクの送信や下りリンクの受信、第２キャリアの測定を行ってもよい。すなわち、第２通信部１０４は、第２キャリアがＤｅ−ａｃｔｉｖａｔｅｄ状態である場合に、前記ＳＣＣ用メジャメント区間の内の第３区間でのみ上りリンクの送信や下りリンクの受信を行い、前記ＳＣＣ用メジャメント区間の内の第１区間及び第２区間及び第４区間では上りリンクの送信や下りリンクの受信を行わないという動作を行ってもよい。
【０１１５】
第２下りリンク受信部１０４Ａは、第２キャリアにおける下りリンクの信号の受信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【０１１６】
第２下りリンク受信部１０４Ａは、第２キャリアがＤｅ−ａｃｔｉｖａｔｅｄ状態である場合には、第２キャリアにおける下りリンクの信号の受信を行わない。
【０１１７】
尚、図１４に示すＳＣＣ用メジャメント区間が設定されている場合の第２下りリンク受信部１０４Ａの動作を以下に示す。第２下りリンク受信部１０４Ａは、第２キャリアがＡｃｔｉｖａｔｅｄ状態である場合には、前記ＳＣＣ用メジャメント区間を無視して、第２キャリアにおける下りリンクの信号を受信し、第２キャリアがＤｅ−ａｃｔｉｖａｔｅｄ状態である場合に、前記ＳＣＣ用メジャメント区間の内の第３区間でのみ下りリンクの信号を受信してもよい。すなわち、第２下りリンク受信部１０４Ａは、第２キャリアがＤｅ−ａｃｔｉｖａｔｅｄ状態である場合に、前記ＳＣＣ用メジャメント区間の内の第１区間、第２区間、第４区間では下りリンクの信号を受信しない。尚、上述したように、第２下りリンク受信部１０４Ａは、第２キャリアがＤｅ−ａｃｔｉｖａｔｅｄ状態である場合に、前記ＳＣＣ用メジャメント区間の内の第３区間でのみ下りリンクの信号を受信する代わりに、前記ＳＣＣ用メジャメント区間の内の第２区間と第３区間でのみ下りリンクの信号を受信するという動作であってもよい。
【０１１８】
第２上りリンク送信部１０４Ｂは、第２キャリアにおける上りリンクの信号の送信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【０１１９】
第２上りリンク送信部１０４Ｂは、第２キャリアがＤｅ−ａｃｔｉｖａｔｅｄ状態である場合には、第２キャリアにおける上りリンクの信号の送信を行わない。
【０１２０】
尚、図１４に示すＳＣＣ用メジャメント区間が設定されている場合の第２上りリンク送信部１０４Ｂの動作を以下に示す。第２上りリンク送信部１０４Ｂは、第２キャリアがＡｃｔｉｖａｔｅｄ状態である場合には、前記ＳＣＣ用メジャメント区間を無視して、第２キャリアにおける上りリンクの信号を送信し、第２キャリアがＤｅ−ａｃｔｉｖａｔｅｄ状態である場合に、前記ＳＣＣ用メジャメント区間の内の第３区間でのみ上りリンクの信号を送信してもよい。すなわち、第２上りリンク送信部１０４Ｂは、第２キャリアがＤｅ−ａｃｔｉｖａｔｅｄ状態である場合に、前記ＳＣＣ用メジャメント区間の内の第１区間、第２区間、第４区間では上りリンクの信号を送信しない。
【０１２１】
第２測定部１０４Ｃは、第２キャリアにおけるセルサーチやメジャメント、無線リンクのモニタリング等の測定処理を行う。
【０１２２】
以下に、図５乃至図６に示すメジャメントギャップが設定されている場合の第２測定部１０４Ｃの動作を示す。
【０１２３】
第２測定部１０４Ｃは、第２キャリアがＡｃｔｉｖａｔｅｄ状態である場合、すなわち、第２キャリアが有効化されている場合に、前記メジャメントギャップ（区間Ｂ１）を考慮せずに、第２キャリアの測定、すなわち、セルサーチやメジャメント、無線リンクのモニタリングを行ってもよい。ここで、前記メジャメントギャップ（区間Ｂ１）を考慮せずに、第２キャリアの測定を行うとは、例えば、区間Ｂ１または区間Ｂ３の内の任意のタイミングにおいて、前記第２キャリアの測定を行うことを意味してもよい。
【０１２４】
一方、第２測定部１０４Ｃは、第２キャリアがＤｅ−ａｃｔｉｖａｔｅｄ状態である場合、すなわち、第２キャリアが有効化されていない場合に、前記メジャメントギャップ（区間Ｂ２）において、第２キャリアの測定、すなわち、セルサーチやメジャメント、無線リンクのモニタリングを行ってもよい。
【０１２５】
また、第２測定部１０４Ｃは、図６乃至図８に示したように、第２キャリアの測定のためのメジャメントギャップとして、一定の時間だけ分離された２つのギャップ区間から構成されているメジャメントギャップが設定されている場合に、前記２つのギャップ区間の内の時間的に１つ目のギャップ区間において、第２キャリアにおけるセルサーチやメジャメント、無線リンクのモニタリング等の測定処理を行ってもよい。尚、前記メジャメントには、後述するＰａｔｈｌｏｓｓの測定が含まれてもよい。
【０１２６】
以下に、第２測定部１０４Ｃが、前記２つのギャップ区間の内の時間的に１つ目のギャップ区間において、第２キャリアにおけるセルサーチやメジャメント、無線リンクのモニタリング等の測定処理を行うことの意味を説明する。
【０１２７】
例えば、第２キャリアがＤｅ−ａｃｔｉｖａｔｅｄ状態である場合に、送信すべきデータが発生し、かつ、前記２つのギャップ区間の間の区間において、上りリンクの送信が発生すると仮定する。この場合、かかる上りリンクの送信のための送信電力は、できる限り最新のＰａｔｈ  ｌｏｓｓに基づいて決定されることが望ましい。この場合、かかる２つのギャップ区間の間の区間において、かかるＰａｔｈ  ｌｏｓｓを測定したのでは、処理遅延等を考慮すると、上記上りリンクの送信のための送信電力の決定に、その測定したＰａｔｈ  ｌｏｓｓの結果を反映させることは困難である。言い換えれば、かかる２つのギャップ区間の間の区間の前の区間において、Ｐａｔｈ  ｌｏｓｓを測定することにより、かかる上りリンクの送信のための送信電力が、最新のＰａｔｈ  ｌｏｓｓに基づいて決定され、結果として、通信の品質を向上させることが可能である。
【０１２８】
尚、上記例において、Ｐａｔｈ  ｌｏｓｓは、下りリンクのリファレンス信号の受信電力ＲＳＲＰから推定されるため、前記２つのギャップ区間の内の時間的に１つ目のギャップ区間において、Ｐａｔｈ  ｌｏｓｓを測定するとは、ＲＳＲＰの測定（いわゆるメジャメント）を、前記２つのギャップ区間の内の時間的に１つ目のギャップ区間において行うことを意味する。
【０１２９】
尚、ＲＳＲＰの測定（いわゆる、メジャメント）だけでなく、セルサーチや無線リンクのモニタリングに関しても、前記２つのギャップ区間の間の区間において、その測定結果に基づいた処理が可能となるため、前記２つのギャップ区間の内の時間的に１つ目のギャップ区間において、行われることが好ましい。
【０１３０】
尚、前記２つのギャップ区間の内の時間的に２つ目のギャップ区間においては、上述した受信機の中心周波数の切り替え等の処理が発生するだけであるのに対し、前記２つのギャップ区間の内の時間的に１つ目のギャップ区間においては、上述した、受信機の中心周波数の切り替え等の処理に加えて、上述した、第２キャリアにおけるセルサーチやメジャメント、無線リンクのモニタリングの処理が行われるため、前記２つのギャップ区間の内の時間的に１つ目のギャップ区間の大きさは、前記２つのギャップ区間の内の時間的に２つ目のギャップ区間よりも大きく設定されてもよい。
【０１３１】
すなわち、移動局ＵＥ及び無線基地局ｅＮＢは、前記２つのギャップ区間の内の時間的に１つ目のギャップ区間、及び、前記２つのギャップ区間の内の時間的に２つ目のギャップ区間においては、第１キャリアにおいて、データの送受信ができないとみなして、第１キャリアにおける通信処理を行わないという処理を行ってもよい。また、前記２つのギャップ区間の内の時間的に１つ目のギャップ区間の大きさは、前記２つのギャップ区間の内の時間的に２つ目のギャップ区間の大きさよりも大きく設定されてもよい。
【０１３２】
尚、図１４に示すＳＣＣ用メジャメント区間が設定されている場合の第２測定部１０４Ｃの動作を以下に示す。第２測定部１０４Ｃは、第２キャリアがＡｃｔｉｖａｔｅｄ状態である場合には、前記ＳＣＣ用メジャメント区間を無視して、第２キャリアの測定を行い、第２キャリアがＤｅ−ａｃｔｉｖａｔｅｄ状態である場合に、前記ＳＣＣ用メジャメント区間の内の第２区間で第２キャリアの測定を行ってもよい。前記測定とは、例えば、サービングセルや隣接セルのセルサーチやメジャメント、サービングセルのＰａｔｈｌｏｓｓの測定、無線リンクのモニタリングであってもよい。尚、第２測定部１０４Ｃが、第２区間で第２キャリアの測定を行う効果は、前記２つのギャップ区間の内の時間的に１つ目のギャップ区間において測定を行う効果と同一であるため、省略する。
【０１３３】
Ａｃｔｉｖａｔｉｏｎ／Ｄｅ−ａｃｔｉｖａｔｉｏｎ制御部１０６は、移動局ＵＥのセカンダリコンポーネントキャリアがＤｅ−ａｃｔｉｖａｔｅｄ状態であるかＡｃｔｉｖａｔｅｄ状態であるかについて管理するように構成されている。より具体的には、Ａｃｔｉｖａｔｉｏｎ／Ｄｅ−ａｃｔｉｖａｔｉｏｎ制御部１０６は、セカンダリコンポーネントキャリアである第２キャリアに関してＡｃｔｉｖａｔｅｄ状態であるかＤｅ−ａｃｔｉｖａｔｅｄ状態であるかについて管理するように構成されている。そして、Ａｃｔｉｖａｔｉｏｎ／Ｄｅ−ａｃｔｉｖａｔｉｏｎ制御部１０６は、第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）及びギャップ制御部１０８に対して、第２キャリアに関して、Ａｃｔｉｖａｔｅｄ状態であるか、Ｄｅ−ａｃｔｉｖａｔｅｄ状態であるか、すなわち、第２キャリアが有効化されているか又は有効化されていないかを通知する。
【０１３４】
ギャップ制御部１０８は、メジャメントギャップに関する制御を行う。より具体的には、異なる周波数のキャリアに関する測定や異なる移動通信システムのキャリアに関する測定のためのメジャメントギャップの管理を行い、どのサブフレームにおいて、メジャメントギャップが設定されているかの情報を、Ａｃｔｉｖａｔｉｏｎ／Ｄｅ−ａｃｔｉｖａｔｉｏｎ制御部１０６及び第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）に通知する。
【０１３５】
ここで、前記メジャメントギャップには、異なる周波数のキャリアに関する測定や異なる移動通信システムのキャリアに関する測定のためのメジャメントギャップに加えて、図５乃至図９を用いて説明を行った、第２キャリアの測定のためのメジャメントギャップや、あるいは、図１４を用いて説明を行った、ＳＣＣ用メジャメント区間が含まれる。すなわち、ギャップ制御部１０８は、上述した、第２キャリアの測定のためのメジャメントギャップ、または、ＳＣＣ用メジャメント区間の管理を行い、そのメジャメントギャップ、または、ＳＣＣ用メジャメント区間に関する情報、例えば、どのサブフレームにおいてメジャメントギャップ、または、ＳＣＣ用メジャメント区間が設定されるかの情報を、Ａｃｔｉｖａｔｉｏｎ／Ｄｅ−ａｃｔｉｖａｔｉｏｎ制御部１０６及び第１通信部１０２（第１下りリンク受信部１０２Ａ、第１上りリンク送信部１０２Ｂ、第１測定部１０２Ｃ）及び第２通信部１０４（第２下りリンク受信部１０４Ａ、第２上りリンク送信部１０４Ｂ、第２測定部１０４Ｃ）に通知する。尚、第２キャリアの測定のためのメジャメントギャップやＳＣＣ用メジャメント区間は、前記異なる異周波のキャリアに関する測定や異なる移動通信システムのキャリアに関する測定のためのメジャメントギャップとは、その周期、ギャップ区間の構成、ギャップ区間の長さが異なっていてもよいし、同じであってもよい。
【０１３６】
図１１に示すように、無線基地局ｅＮＢは、第１通信部２０２と第２通信部２０４とＡｃｔｉｖａｔｉｏｎ／Ｄｅ−ａｃｔｉｖａｔｉｏｎ制御部２０６とギャップ制御部２０８とを具備している。また、第１通信部２０２は、第１下りリンク送信部２０２Ａと第１上りリンク受信部２０２Ｂとを具備し、第２通信部２０４は、第２下りリンク送信部２０４Ａと第２上りリンク受信部２０４Ｂとを具備している。第１通信部２０２と第１下りリンク送信部２０２Ａと第１上りリンク受信部２０２Ｂと第２通信部２０４と第２下りリンク送信部２０４Ａと第２上りリンク受信部２０４ＢとＡｃｔｉｖａｔｉｏｎ／Ｄｅ−ａｃｔｉｖａｔｉｏｎ制御部２０６とギャップ制御部２０８とは、互いに接続されている。
【０１３７】
第１通信部２０２は、第１キャリアに関する通信を行う。例えば、第１通信部２０２は、第１キャリアにおける下りリンクの送信や上りリンクの受信等を行う。
【０１３８】
以下に、図５乃至図６に示すメジャメントギャップが設定されている場合の第１通信部２０２の動作を示す。
【０１３９】
第１通信部２０２は、第２キャリアがＡｃｔｉｖａｔｅｄ状態である場合、すなわち、第２キャリアが有効化されている場合に、前記メジャメントギャップ（区間Ｂ１）を考慮せずに、第１キャリアの通信を行う。すなわち、第１通信部２０２は、第２キャリアが有効化されている場合には、第２キャリアの測定のためのメジャメントギャップにおいても、第１キャリアの通信を行う。
【０１４０】
また、第１通信部２０２は、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアの通信を行わない。すなわち、第１通信部２０２は、第２キャリアが有効化されていない場合には、第２キャリアの測定のためのメジャメントギャップにおいては、第１キャリアの通信を行わない。
【０１４１】
尚、以下に、図１４に示すＳＣＣ用メジャメント区間が設定されている場合の第１通信部２０２の動作を示す。
【０１４２】
第１通信部２０２は、第２キャリアがＡｃｔｉｖａｔｅｄ状態である場合、すなわち、第２キャリアが有効化されている場合に、前記ＳＣＣ用メジャメント区間を考慮せずに、第１キャリアの通信を行う。すなわち、第１通信部２０２は、第２キャリアが有効化されている場合には、ＳＣＣ用メジャメント区間の内の第１区間及び第２区間及び第３区間及び第４区間においても、第１キャリアの通信を行う。
【０１４３】
また、第１通信部２０２は、第２キャリアがＤｅ−ａｃｔｉｖａｔｅｄ状態である場合、すなわち、第２キャリアが有効化されていない場合に、前記ＳＣＣ用メジャメント区間を考慮し、前記ＳＣＣ用メジャメント区間の内の第１区間及び第４区間において、第１キャリアの通信を行わない。すなわち、第１通信部１０２は、第２キャリアが有効化されていない場合には、前記ＳＣＣ用メジャメント区間の内の第１区間及び第４区間においては、第１キャリアの通信を行わない。尚、第１通信部２０２は、第２キャリアが有効化されていない場合に、前記ＳＣＣ用メジャメント区間の内の第２区間及び第３区間においては、第１キャリアの通信を行ってもよい。
【０１４４】
第１下りリンク送信部２０２Ａは、第１キャリアにおける下りリンクの信号の送信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【０１４５】
以下に、図５乃至図６に示すメジャメントギャップが設定されている場合の第１下りリンク送信部２０２Ａの動作を示す。
【０１４６】
第１下りリンク送信部２０２Ａは、第２キャリアがＡｃｔｉｖａｔｅｄ状態である場合、すなわち、第２キャリアが有効化されている場合に、前記メジャメントギャップ（区間Ｂ１）を考慮せずに、第１キャリアにおける下りリンクの信号の送信を行う。すなわち、第１下りリンク送信部２０２Ａは、第２キャリアが有効化されている場合には、第２キャリアの測定のためのメジャメントギャップにおいても、第１キャリアにおける下りリンクの信号の送信を行う。
【０１４７】
あるいは、第１下りリンク送信部２０２Ａは、第２キャリアがＡｃｔｉｖａｔｅｄ状態である場合には、第２キャリアの測定のためのメジャメントギャップを無視して、下りリンクのスケジューリングを行ってもよい。すなわち、第１下りリンク送信部２０２Ａは、第２キャリアがＡｃｔｉｖａｔｅｄ状態である場合には、第２キャリアの測定のためのメジャメントギャップにおいても、当該移動局ＵＥに対して、下りリンクのスケジューリングを行ってもよい。尚、スケジューリングとは、あるサブフレームにおいて、どの移動局ＵＥが共有チャネルを用いて通信を行うかを選択する処理を示す。
【０１４８】
また、第１下りリンク送信部２０２Ａは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアにおける下りリンクの信号の送信を行わない。すなわち、第１下りリンク送信部２０２Ａは、第２キャリアが有効化されていない場合には、第２キャリアの測定のためのメジャメントギャップにおいては、第１キャリアにおける下りリンクの信号の送信を行わない。
【０１４９】
あるいは、第１下りリンク送信部２０２Ａは、第２キャリアがＤｅ−ａｃｔｉｖａｔｅｄ状態である場合には、第２キャリアの測定のためのメジャメントギャップにおいて移動局ＵＥが下りリンクの信号を受信しないように、スケジューリングを行ってもよい。尚、スケジューリングとは、あるサブフレームにおいて、どの移動局ＵＥが共有チャネルを用いて通信を行うかを選択する処理を示す。
【０１５０】
尚、以下に、図１４に示すＳＣＣ用メジャメント区間が設定されている場合の第１下りリンク送信部２０２Ａの動作を示す。
【０１５１】
第１下りリンク送信部２０２Ａは、第２キャリアがＡｃｔｉｖａｔｅｄ状態である場合、すなわち、第２キャリアが有効化されている場合に、前記ＳＣＣ用メジャメント区間を考慮せずに、第１キャリアにおける下りリンクの信号の送信を行う。すなわち、第１下りリンク送信部２０２Ａは、第２キャリアが有効化されている場合には、第２キャリアの測定のためのＳＣＣ用メジャメント区間の第１区間及び第２区間及び第３区間及び第４区間においても、第１キャリアにおける下りリンクの信号の送信を行う。
【０１５２】
また、第１下りリンク送信部２０２Ａは、第２キャリアがＤｅ−ａｃｔｉｖａｔｅｄ状態である場合、すなわち、第２キャリアが有効化されていない場合に、前記ＳＣＣ用メジャメント区間を考慮し、第１キャリアにおける下りリンクの信号の送信を行わない。すなわち、第１下りリンク送信部２０２Ａは、第２キャリアが有効化されていない場合には、ＳＣＣ用メジャメント区間の第１区間及び第４区間においては、第１キャリアにおける下りリンクの信号の送信を行わない。尚、第１下りリンク送信部２０２Ａは、第２キャリアが有効化されていない場合に、ＳＣＣ用メジャメント区間の第２区間及び第３区間においては、第１キャリアにおける下りリンクの信号の送信を行ってもよい。
【０１５３】
第１上りリンク受信部２０２Ｂは、第１キャリアにおける上りリンクの信号の受信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【０１５４】
以下に、図５乃至図６に示すメジャメントギャップが設定されている場合の第１上りリンク受信部２０２Ｂの動作を示す。
【０１５５】
第１上りリンク受信部２０２Ｂは、第２キャリアがＡｃｔｉｖａｔｅｄ状態である場合、すなわち、第２キャリアが有効化されている場合に、前記メジャメントギャップ（区間Ｂ１）を考慮せずに、第１キャリアにおける上りリンクの信号の受信を行う。すなわち、第１上りリンク受信部２０２Ｂは、第２キャリアが有効化されている場合には、第２キャリアの測定のためのメジャメントギャップにおいても、第１キャリアにおける上りリンクの信号の受信を行う。
【０１５６】
あるいは、第１上りリンク受信部２０２Ｂは、第２キャリアが有効化されている場合には、前記第２キャリアの測定のためのメジャメントギャップを無視して、上りリンクのスケジューリングを行ってもよい。すなわち、第１上りリンク受信部２０２Ｂは、第２キャリアが有効化されている場合には、前記第２キャリアの測定のためのメジャメントギャップにおいても、当該移動局ＵＥに対して、上りリンクのスケジューリングを行ってもよい。尚、スケジューリングとは、あるサブフレームにおいて、どの移動局ＵＥが共有チャネルを用いて通信を行うかを選択する処理を示す。尚、より具体的には、第１上りリンク受信部２０２Ｂは、前記第２キャリアの測定のためのメジャメントギャップにおいて移動局ＵＥが上りリンクの信号を送信しないように、対応するサブフレームの下りリンクにおいて、当該移動局ＵＥに対して、上りスケジューリンググラントを送信しないように構成されていてもよい。尚、前記上りスケジューリンググラントは、第１下りリンク送信部２０２Ａを介して送信されてもよい。
【０１５７】
また、第１上りリンク受信部２０２Ｂは、第２キャリアがＤｅ−ａｃｔｉｖａｔｅｄ状態である場合、すなわち、第２キャリアが有効化されていない場合に、前記メジャメントギャップ（区間Ｂ２）を考慮し、第１キャリアにおける上りリンクの信号の受信を行わない。すなわち、第１上りリンク受信部２０２Ｂは、第２キャリアが有効化されていない場合には、第２キャリアの測定のためのメジャメントギャップにおいては、第１キャリアにおける上りリンクの信号の受信を行わない。
【０１５８】
あるいは、第１上りリンク受信部２０２Ｂは、第２キャリアが有効化されていない場合には、前記第２キャリアの測定のためのメジャメントギャップにおいて移動局ＵＥが上りリンクの信号を送信しないように、スケジューリングを行ってもよい。尚、スケジューリングとは、あるサブフレームにおいて、どの移動局ＵＥが共有チャネルを用いて通信を行うかを選択する処理を示す。尚、より具体的には、第１上りリンク受信部２０２Ｂは、前記第２キャリアの測定のためのメジャメントギャップにおいて移動局ＵＥが上りリンクの信号を送信しないように、対応するサブフレームの下りリンクにおいて、当該移動局ＵＥに対して、上りスケジューリンググラントを送信しないように構成されていてもよい。尚、前記上りスケジューリンググラントは、第１下りリンク送信部２０２Ａを介して送信されてもよい。
【０１５９】
尚、以下に、図１４に示すＳＣＣ用メジャメント区間が設定されている場合の第１上りリンク受信部２０２Ｂの動作を示す。
【０１６０】
第１上りリンク受信部２０２Ｂは、第２キャリアがＡｃｔｉｖａｔｅｄ状態である場合、すなわち、第２キャリアが有効化されている場合に、前記ＳＣＣ用メジャメント区間を考慮せずに、第１キャリアにおける上りリンクの信号の受信を行う。すなわち、第１上りリンク受信部２０２Ｂは、第２キャリアが有効化されている場合には、第２キャリアの測定のためのＳＣＣ用メジャメント区間の第１区間及び第２区間及び第３区間及び第４区間においても、第１キャリアにおける上りリンクの信号の受信を行う。
【０１６１】
また、第１上りリンク受信部２０２Ｂは、第２キャリアがＤｅ−ａｃｔｉｖａｔｅｄ状態である場合、すなわち、第２キャリアが有効化されていない場合に、前記ＳＣＣ用メジャメント区間を考慮し、第１キャリアにおける上りリンクの信号の受信を行わない。すなわち、第１上りリンク受信部２０２Ｂは、第２キャリアが有効化されていない場合には、ＳＣＣ用メジャメント区間の第１区間及び第４区間においては、第１キャリアにおける上りリンクの信号の受信を行わない。尚、第１上りリンク受信部２０２Ｂは、第２キャリアが有効化されていない場合に、ＳＣＣ用メジャメント区間の第２区間及び第３区間においては、第１キャリアにおける上りリンクの信号の受信を行ってもよい。
尚、図１４に示すＳＣＣ用メジャメント区間の場合にも、図５乃至図９に示す第２キャリアの測定のためのギャップ区間と同様に、前記第１区間、及び、第４区間において、上りリンクまたは下りリンクの通信が発生しないように、スケジューリングが行われてもよい。すなわち、前記第１区間、及び、第４区間において、上りリンクまたは下りリンクの通信が発生するような上りスケジューリンググラントまたは下りスケジューリング情報の送信が制限される、という動作であってもよい。
【０１６２】
第２通信部２０４は、第２キャリアに関する通信を行う。例えば、第２通信部２０４は、第２キャリアにおける下りリンクの送信や上りリンクの受信等を行う。
【０１６３】
第２通信部２０４は、上述したように、第２キャリアがＡｃｔｉｖａｔｅｄ状態である場合には、通常のデータの送受信を行う。一方、第２通信部２０４は、第２キャリアがＤｅ−ａｃｔｉｖａｔｅｄ状態である場合には、通常のデータの送受信を行わない。
【０１６４】
尚、図１４に示すＳＣＣ用メジャメント区間が設定されている場合の第２通信部２０４の動作を以下に示す。第２通信部２０４は、第２キャリアがＡｃｔｉｖａｔｅｄ状態である場合には、前記ＳＣＣ用メジャメント区間を無視して、第２キャリアにおける通常のデータの送受信を行う。一方、第２通信部２０４は、第２キャリアがＤｅ−ａｃｔｉｖａｔｅｄ状態である場合には、上述したように、前記ＳＣＣ用メジャメント区間の一部においてのみ、第２キャリアでの上りリンクの送信や下りリンクの受信を行ってもよい。すなわち、第２通信部２０４は、第２キャリアがＤｅ−ａｃｔｉｖａｔｅｄ状態である場合に、前記ＳＣＣ用メジャメント区間の内の第３区間でのみ上りリンクの受信や下りリンクの送信を行い、前記ＳＣＣ用メジャメント区間の内の第１区間及び第２区間及び第４区間では上りリンクの受信や下りリンクの送信を行わない。
【０１６５】
第２下りリンク送信部２０４Ａは、第２キャリアにおける下りリンクの信号の送信を行う。ここで、かかる下りリンクの信号とは、例えば、ＰＤＳＣＨやＰＤＣＣＨであってもよい。あるいは、かかる下りリンクの信号とは、報知情報であるＰ−ＢＣＨや同期信号であるＰＳＳ（Ｐｒｉｍａｒｙ  Ｓｙｎｃｈｒｏｎｉｚａｔｉｏｎ  Ｓｉｇｎａｌ）、ＳＳＳ（Ｓｅｃｏｎｄａｒｙ  Ｓｙｎｃｈｒｏｎｉｚａｔｉｏｎ  Ｓｉｇｎａｌ）、下りリンクのリファレンス信号であってもよい。
【０１６６】
第２下りリンク送信部２０４Ａは、第２キャリアがＤｅ−ａｃｔｉｖａｔｅｄ状態である場合には、第２キャリアにおける下りリンクの信号の送信を行わない。
【０１６７】
尚、図１４に示すＳＣＣ用メジャメント区間が設定されている場合の第２下りリンク送信部２０４Ａの動作を以下に示す。第２下りリンク送信部２０４Ａは、第２キャリアがＡｃｔｉｖａｔｅｄ状態である場合には、前記ＳＣＣ用メジャメント区間を無視して、第２キャリアにおける下りリンクの信号を送信し、第２キャリアがＤｅ−ａｃｔｉｖａｔｅｄ状態である場合に、前記ＳＣＣ用メジャメント区間の内の第３区間でのみ下りリンクの信号を送信してもよい。すなわち、第２下りリンク送信部２０４Ａは、第２キャリアがＤｅ−ａｃｔｉｖａｔｅｄ状態である場合に、前記ＳＣＣ用メジャメント区間の内の第１区間、第２区間、第４区間では下りリンクの信号を送信しない。尚、上述したように、第２下りリンク送信部２０４Ａは、第２キャリアがＤｅ−ａｃｔｉｖａｔｅｄ状態である場合に、前記ＳＣＣ用メジャメント区間の内の第３区間でのみ下りリンクの信号を送信する代わりに、前記ＳＣＣ用メジャメント区間の内の第２区間と第３区間でのみ下りリンクの信号を送信するという動作であってもよい。
【０１６８】
第２上りリンク受信部２０４Ｂは、第２キャリアにおける上りリンクの信号の受信を行う。ここで、かかる上りリンクの信号とは、例えば、ＰＵＳＣＨやＰＵＣＣＨであってもよい。あるいは、かかる上りリンクの信号とは、サウンディング用のリファレンス信号や復調用のリファレンス信号であってもよいし、ランダムアクセスチャネルであってもよい。
【０１６９】
第２上りリンク受信部２０４Ｂは、第２キャリアがＤｅ−ａｃｔｉｖａｔｅｄ状態である場合には、第２キャリアにおける上りリンクの信号の受信を行わない。
【０１７０】
また、第２上りリンク受信部２０４Ｂは、第２キャリアがＤｅ−ａｃｔｉｖａｔｅｄ状態で、かつ、送信すべき上りリンクの信号が存在する場合に、区間Ｂ２の直後に、前記上りリンクの信号が送信されるように、第２キャリアにおける上りリンクのスケジューリング、すなわち、共有チャネルの割り当てを行ってもよい。より具体的には、第２上りリンク受信部２０４は、第２キャリアがＤｅ−ａｃｔｉｖａｔｅｄ状態で、かつ、送信すべき上りリンクの信号が存在する場合に、区間Ｂ２の直後に、前記上りリンクの信号が送信されるように、下りリンクにおいて、前記上りリンクの信号を指示する制御信号である上りスケジューリンググラントを送信してもよい。
【０１７１】
尚、図１４に示すＳＣＣ用メジャメント区間が設定されている場合の第２上りリンク受信部２０４Ｂの動作を以下に示す。第２上りリンク受信部２０４Ｂは、第２キャリアがＡｃｔｉｖａｔｅｄ状態である場合には、前記ＳＣＣ用メジャメント区間を無視して、第２キャリアにおける上りリンクの信号を受信し、第２キャリアがＤｅ−ａｃｔｉｖａｔｅｄ状態である場合に、前記ＳＣＣ用メジャメント区間の内の第３区間でのみ上りリンクの信号を受信してもよい。すなわち、第２上りリンク受信部２０４Ｂは、第２キャリアがＤｅ−ａｃｔｉｖａｔｅｄ状態である場合に、前記ＳＣＣ用メジャメント区間の内の第１区間、第２区間、第４区間では上りリンクの信号を受信しない。
【０１７２】
尚、上述したように、区間Ｂ２またはＳＣＣ用メジャメント区間では、第２キャリアのセルサーチやメジャメントが行われるため、上りリンクの送信に用いられるパスロスの精度が高いと想定される。よって、Ｄｅ−ａｃｔｉｖａｔｅｄ状態において、上りリンクの信号の送信を行う場合には、区間Ｂ２またはＳＣＣ用メジャメント区間の直後において、移動局ＵＥに対して上りリンクの信号の送信を指示することにより、上りリンクの送信電力制御がより適切に行われ、通信の品質が改善される。あるいは、同様の理由で、無線基地局ｅＮＢは、前記第２キャリアがＤｅ−ａｃｔｉｖａｔｅｄ状態である場合に、前記区間Ｂ２またはＳＣＣ用メジャメント区間の直後に、前記第２キャリアを有効化（Ｄｅ−ａｃｔｉｖａｔｉｏｎ）してもよい。
【０１７３】
尚、図６に示すように、２つのギャップ区間から構成されるメジャメントギャップが設定されている場合には、２つのギャップ区間の間の区間において、上りリンクの送信が行われるように、上りリンクの送信の指示が行われてもよい。この場合、図１４に示すように、２つのギャップ区間の間の区間の内、後半の区間（図１４における第３区間）において、前記上りリンクの送信が行われてもよい。
【０１７４】
Ａｃｔｉｖａｔｉｏｎ／Ｄｅ−ａｃｔｉｖａｔｉｏｎ制御部２０６は、セル内の各移動局ＵＥのセカンダリコンポーネントキャリアがＡｃｔｉｖａｔｅｄ状態であるか、Ｄｅ−ａｃｔｉｖａｔｅｄ状態であるかについて管理、制御するように構成されている。より具体的には、Ａｃｔｉｖａｔｉｏｎ／Ｄｅ−ａｃｔｉｖａｔｉｏｎ制御部２０６は、セル内の各移動局に関して、セカンダリコンポーネントキャリアである第２キャリアに関してＡｃｔｉｖａｔｅｄ状態であるか、Ｄｅ−ａｃｔｉｖａｔｅｄ状態であるか否かについて管理、制御するように構成されている。そして、Ａｃｔｉｖａｔｉｏｎ／Ｄｅ−ａｃｔｉｖａｔｉｏｎ制御部２０６は、第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）及びギャップ制御部２０８に対して、セル内の各移動局の第２キャリアに関して、Ａｃｔｉｖａｔｅｄ状態であるか、Ｄｅ−ａｃｔｉｖａｔｅｄ状態であるか、すなわち、有効化されているか、有効化されていないかを通知する。
【０１７５】
ギャップ制御部２０８は、メジャメントギャップに関する制御を行う。より具体的には、異なる周波数のキャリアに関する測定や異なる移動通信システムのキャリアに関する測定のためのメジャメントギャップの管理を行い、セル内の各移動局に関して、どのサブフレームにおいて、メジャメントギャップが設定されているかの情報を、Ａｃｔｉｖａｔｉｏｎ／Ｄｅ−ａｃｔｉｖａｔｉｏｎ制御部２０６及び第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）に通知する。
【０１７６】
また、ギャップ制御部２０８は、セル内の各移動局に関して、メジャメントギャップを設定する場合、その設定情報を、ＲＲＣメッセージにより、セル内の各移動局に通知してもよい。前記ＲＲＣメッセージは、第１下りリンク送信部２０２Ａまたは第２下りリンク送信部２０４Ａを介して、移動局ＵＥに通知されてもよい。
【０１７７】
ここで、前記メジャメントギャップには、異なる周波数のキャリアに関する測定や異なる移動通信システムのキャリアに関する測定のためのメジャメントギャップに加えて、図５乃至図９、または、図１４を用いて説明を行った、第２キャリアの測定のためのメジャメントギャップ、または、ＳＣＣ用メジャメント区間が含まれる。すなわち、ギャップ制御部２０８は、上述した、第２キャリアの測定のためのメジャメントギャップ、または、ＳＣＣ用メジャメント区間の管理を行い、そのメジャメントギャップ、または、ＳＣＣ用メジャメント区間に関する情報、例えば、どのサブフレームにおいてメジャメントギャップ、または、ＳＣＣ用メジャメント区間が設定されるかの情報を、Ａｃｔｉｖａｔｉｏｎ／Ｄｅ−ａｃｔｉｖａｔｉｏｎ制御部２０６及び第１通信部２０２（第１下りリンク送信部２０２Ａ、第１上りリンク受信部２０２Ｂ）及び第２通信部２０４（第２下りリンク送信部２０４Ａ、第２上りリンク受信部２０４Ｂ）に通知する。
【０１７８】
尚、第２キャリアの測定のためのメジャメントギャップ、または、ＳＣＣ用メジャメント区間は、前記異なる異周波のキャリアに関する測定や異なる移動通信システムのキャリアに関する測定のためのメジャメントギャップとは、その周期、ギャップ区間の構成、ギャップ区間の長さが異なっていてもよいし、同じであってもよい。
【０１７９】
また、第２キャリアの測定のためのメジャメントギャップ、または、ＳＣＣ用メジャメント区間は、前記異なる異周波のキャリアに関する測定や異なる移動通信システムのキャリアに関する測定のためのメジャメントギャップと同一のメジャメントギャップとして設定されてもよいし、別のメジャメントギャップとして設定されてもよい。前記第２キャリアの測定のためのメジャメントギャップ、または、ＳＣＣ用メジャメント区間が、前記異なる異周波のキャリアに関する測定や異なる移動通信システムのキャリアに関する測定のためのメジャメントギャップとは別のメジャメントギャップとして設定される場合、前記第２キャリアの測定のためのメジャメントギャップ、または、ＳＣＣ用メジャメント区間と、前記異なる異周波のキャリアに関する測定や異なる移動通信システムのキャリアに関する測定のためのメジャメントギャップとの両方が同時に設定されてもよい。
【０１８０】
また、第２キャリアの測定のためのメジャメントギャップ、または、ＳＣＣ用メジャメント区間は、上述したように、測定対象となるキャリアがＤｅ−ａｃｔｉｖａｔｅｄ状態である場合にのみ適用されるメジャメントギャップであってもよい。
【０１８１】
図１２を用いて、本実施形態に係る移動局ＵＥにおける通信制御方法を説明する。
【０１８２】
ステップＳ３０２において、移動局ＵＥは、当該Ｓｕｂ−ｆｒａｍｅにおいて、Ｓｅｃｏｎｄａｒｙ  Ｃｏｍｐｏｎｅｎｔ  Ｃａｒｒｉｅｒ  （Ｓｅｃｏｎｄａｒｙ  ＣＣ）がＤｅ−ａｃｔｉｖａｔｅｄ状態であるか否かを判定する。ここで、前記Ｓｅｃｏｎｄａｒｙ  ＣＣは、上述の説明における第２キャリアに相当する。
【０１８３】
当該Ｓｕｂ−ｆｒａｍｅにおいて、Ｓｅｃｏｎｄａｒｙ  ＣＣがＤｅ−ａｃｔｉｖａｔｅｄ状態である場合（ステップＳ３０２：ＹＥＳ）、移動局ＵＥは、ステップＳ３０４において、当該Ｓｕｂ−ｆｒａｍｅが、Ｓｅｃｏｎｄａｒｙ  ＣＣの測定のためのギャップ区間であるか否かを判定する。尚、本処理において、移動局ＵＥは、当該Ｓｕｂ−ｆｒａｍｅが、前記Ｓｅｃｏｎｄａｒｙ  ＣＣ測定のためのギャップ区間であるか否かを判定する代わりに、当該Ｓｕｂ−ｆｒａｍｅが、図１４に示す第１区間または第４区間であるか否かを判定してもよい。
【０１８４】
当該Ｓｕｂ−ｆｒａｍｅがＳｅｃｏｎｄａｒｙ  ＣＣの測定のためのギャップ区間である場合（ステップＳ３０４：ＹＥＳ）、移動局ＵＥは、当該Ｓｕｂ−ｆｒａｍｅにおいて、Ｐｒｉｍａｒｙ  Ｃｏｍｐｏｎｅｎｔ  Ｃａｒｒｉｅｒ（Ｐｒｉｍａｒｙ  ＣＣ）での通信を行わない（ステップＳ３０６）。すなわち、移動局ＵＥは、当該Ｓｕｂ−ｆｒａｍｅにおいて、Ｐｒｉｍａｒｙ  Ｃｏｍｐｏｎｅｎｔ  Ｃａｒｒｉｅｒ（Ｐｒｉｍａｒｙ  ＣＣ）における上りリンクの送信や下りリンクの受信を行わない。ここで、前記Ｐｒｉｍａｒｙ  ＣＣは、上述の説明における第１キャリアに相当する。
【０１８５】
当該Ｓｕｂ−ｆｒａｍｅにおいてＳｅｃｏｎｄａｒｙ  ＣＣがＤｅ−ａｃｔｉｖａｔｅｄ状態でない場合（ステップＳ３０２：ＮＯ）、または、当該Ｓｕｂ−ｆｒａｍｅにおいてＳｅｃｏｎｄａｒｙ  ＣＣがＤｅ−ａｃｔｉｖａｔｅｄ状態であり、かつ、当該Ｓｕｂ−ｆｒａｍｅはＳｅｃｏｎｄａｒｙ  ＣＣのためのギャップ区間でない場合（ステップＳ３０４：ＮＯ）、移動局ＵＥは、当該Ｓｕｂ−ｆｒａｍｅにおいて、Ｐｒｉｍａｒｙ  ＣＣでの通信を行う（ステップＳ３０８）。
【０１８６】
図１３を用いて、本実施形態に係る無線基地局ｅＮＢにおける通信制御方法を説明する。
【０１８７】
ステップＳ４０２において、無線基地局ｅＮＢは、当該Ｓｕｂ−ｆｒａｍｅにおいて、移動局ＵＥのＳｅｃｏｎｄａｒｙ  Ｃｏｍｐｏｎｅｎｔ  Ｃａｒｒｉｅｒ  （Ｓｅｃｏｎｄａｒｙ  ＣＣ）がＤｅ−ａｃｔｉｖａｔｅｄ状態であるか否かを判定する。ここで、前記Ｓｅｃｏｎｄａｒｙ  ＣＣは、上述の説明における第２キャリアに相当する。
【０１８８】
当該Ｓｕｂ−ｆｒａｍｅにおいて、移動局ＵＥのＳｅｃｏｎｄａｒｙ  ＣＣがＤｅ−ａｃｔｉｖａｔｅｄ状態である場合（ステップＳ４０２：ＹＥＳ）、無線基地局ｅＮＢは、ステップＳ４０４において、当該Ｓｕｂ−ｆｒａｍｅが、当該移動局ＵＥのＳｅｃｏｎｄａｒｙ  ＣＣの測定のためのギャップ区間であるか否かを判定する。尚、本処理において、無線基地局ｅＮＢは、当該Ｓｕｂ−ｆｒａｍｅが、前記Ｓｅｃｏｎｄａｒｙ  ＣＣ測定のためのギャップ区間であるか否かを判定する代わりに、当該Ｓｕｂ−ｆｒａｍｅが、図１４に示す第１区間または第４区間であるか否かを判定してもよい。
【０１８９】
当該Ｓｕｂ−ｆｒａｍｅが当該移動局ＵＥのＳｅｃｏｎｄａｒｙ  ＣＣの測定のためのギャップ区間である場合（ステップＳ４０４：ＹＥＳ）、無線基地局ｅＮＢは、当該Ｓｕｂ−ｆｒａｍｅにおいて、当該移動局ＵＥに関するＰｒｉｍａｒｙ  Ｃｏｍｐｏｎｅｎｔ  Ｃａｒｒｉｅｒ（Ｐｒｉｍａｒｙ  ＣＣ）での通信を行わない（ステップＳ４０６）。すなわち、無線基地局ｅＮＢは、当該Ｓｕｂ−ｆｒａｍｅにおいて、当該移動局ＵＥに関するＰｒｉｍａｒｙ  Ｃｏｍｐｏｎｅｎｔ  Ｃａｒｒｉｅｒ（Ｐｒｉｍａｒｙ  ＣＣ）における上りリンクの送信や下りリンクの受信を行わない。あるいは、無線基地局ｅＮＢは、当該ＵＥに関するＰｒｉｍａｒｙ  ＣＣにおける下りリンクの送信や上りリンクの受信が発生しないようにスケジューリングを行ってもよい。ここで、前記Ｐｒｉｍａｒｙ  ＣＣは、上述の説明における第１キャリアに相当する。
【０１９０】
当該Ｓｕｂ−ｆｒａｍｅにおいて当該移動局ＵＥのＳｅｃｏｎｄａｒｙ  ＣＣがＤｅ−ａｃｔｉｖａｔｅｄ状態でない場合（ステップＳ４０２：ＮＯ）、または、当該Ｓｕｂ−ｆｒａｍｅにおいて当該移動局ＵＥのＳｅｃｏｎｄａｒｙ  ＣＣがＤｅ−ａｃｔｉｖａｔｅｄ状態であり、かつ、当該Ｓｕｂ−ｆｒａｍｅは当該移動局ＵＥのＳｅｃｏｎｄａｒｙ  ＣＣのためのギャップ区間でない場合（ステップＳ４０４：ＮＯ）、無線基地局ｅＮＢは、当該Ｓｕｂ−ｆｒａｍｅにおいて、当該移動局ＵＥに関するＰｒｉｍａｒｙ  ＣＣでの通信を行う（ステップＳ４０８）。あるいは、無線基地局ｅＮＢは、当該ＵＥに関するＰｒｉｍａｒｙ  ＣＣにおける下りリンクや上りリンクのスケジューリングを行ってもよい。
【０１９１】
図１５を用いて、本実施形態に係る移動局ＵＥにおける通信制御方法を説明する。
【０１９２】
ステップＳ５０２において、移動局ＵＥは、当該Ｓｕｂ−ｆｒａｍｅにおいて第２キャリアがＤｅ−ａｃｔｉｖａｔｅｄ状態であるか否かを判定する。ここで、前記第２キャリアは、Ｓｅｃｏｎｄａｒｙ  Ｃｏｍｐｏｎｅｎｔ  Ｃａｒｒｉｅｒであってもよい。
【０１９３】
当該Ｓｕｂ−ｆｒａｍｅにおいて、第２キャリアがＤｅ−ａｃｔｉｖａｔｅｄ状態である場合（ステップＳ５０２：ＹＥＳ）、移動局ＵＥは、ステップＳ５０４において、当該Ｓｕｂ−ｆｒａｍｅが、ＳＣＣ用メジャメント区間の第２区間であるか否かを判定する。
【０１９４】
当該Ｓｕｂ−ｆｒａｍｅがＳＣＣ用のメジャメント区間の第２区間である場合（ステップＳ５０４：ＹＥＳ）、移動局ＵＥは、当該Ｓｕｂ−ｆｒａｍｅにおいて、第２キャリアの測定を行い、かつ、第２キャリアでの通信を行わない（ステップＳ５０６）。すなわち、移動局ＵＥは、当該Ｓｕｂ−ｆｒａｍｅにおいて、第２キャリアのセルサーチやメジャメント、パスロスの測定、無線リンクのモニタリング等を行い、第２キャリアにおける上りリンクの送信や下りリンクの受信を行わない。
【０１９５】
当該Ｓｕｂ−ｆｒａｍｅがＳＣＣ用のメジャメント区間の第２区間でない場合（ステップＳ５０４：ＮＯ）、移動局ＵＥは、当該Ｓｕｂ−ｆｒａｍｅがＳＣＣ用のメジャメント区間の第３区間であるか否かを判定する（ステップＳ５０８）。
【０１９６】
当該Ｓｕｂ−ｆｒａｍｅがＳＣＣ用のメジャメント区間の第３区間である場合（ステップＳ５０８：ＹＥＳ）、移動局ＵＥは、当該Ｓｕｂ−ｆｒａｍｅにおいて、第２キャリアの通信を行う（ステップＳ５１０）。すなわち、移動局ＵＥは、当該Ｓｕｂ−ｆｒａｍｅにおいて、第２キャリアを用いて上りリンクの信号を送信し、下りリンクの信号を受信する。
【０１９７】
ステップＳ５０８において、当該Ｓｕｂ−ｆｒａｍｅがＳＣＣ用メジャメント区間の第３区間でない場合（ステップＳ５０８：ＮＯ）、移動局ＵＥは、当該Ｓｕｂ−ｆｒａｍｅにおいて、第２キャリアに関しては、測定も通信も行わない。Ｐｒｉｍａｒｙ  ＣＣでの通信を行う（ステップＳ５１２）。
【０１９８】
また、当該Ｓｕｂ−ｆｒａｍｅにおいて第２キャリアがＤｅ−ａｃｔｉｖａｔｅｄ状態でない場合（ステップＳ５０２：ＮＯ）、移動局ＵＥは、第２キャリアでの通信を行い、かつ、適切な頻度で、第２キャリアの測定を行う（ステップＳ５１４）。
【０１９９】
図１６を用いて、本実施形態に係る無線基地局ｅＮＢにおける通信制御方法を説明する。
【０２００】
ステップＳ６０２において、無線基地局ｅＮＢは、当該Ｓｕｂ−ｆｒａｍｅにおいて第２キャリアがＤｅ−ａｃｔｉｖａｔｅｄ状態であるか否かを判定する。ここで、前記第２キャリアは、Ｓｅｃｏｎｄａｒｙ  Ｃｏｍｐｏｎｅｎｔ  Ｃａｒｒｉｅｒであってもよい。
【０２０１】
当該Ｓｕｂ−ｆｒａｍｅにおいて、第２キャリアがＤｅ−ａｃｔｉｖａｔｅｄ状態である場合（ステップＳ６０２：ＹＥＳ）、無線基地局ｅＮＢは、ステップＳ６０４において、当該Ｓｕｂ−ｆｒａｍｅが、ＳＣＣ用メジャメント区間の第３区間であるか否かを判定する。
【０２０２】
当該Ｓｕｂ−ｆｒａｍｅがＳＣＣ用のメジャメント区間の第３区間である場合（ステップＳ６０４：ＹＥＳ）、無線基地局ｅＮＢは、当該Ｓｕｂ−ｆｒａｍｅにおいて、第２キャリアでの通信を行う（ステップＳ６０６）。すなわち、無線基地局ｅＮＢは、当該Ｓｕｂ−ｆｒａｍｅにおいて、第２キャリアにおける上りリンクの受信や下りリンクの送信を行う。
【０２０３】
当該Ｓｕｂ−ｆｒａｍｅがＳＣＣ用のメジャメント区間の第３区間でない場合（ステップＳ６０４：ＮＯ）、無線基地局ｅＮＢは、当該Ｓｕｂ−ｆｒａｍｅにおいて、第２キャリアとの通信を行わない（ステップＳ６０８）。
【０２０４】
また、当該Ｓｕｂ−ｆｒａｍｅにおいて第２キャリアがＤｅ−ａｃｔｉｖａｔｅｄ状態でない場合（ステップＳ６０２：ＮＯ）、無線基地局ｅＮＢは、第２キャリアでの通信を行（ステップＳ６１０）。
【０２０５】
尚、上述した例において、第２キャリアが有効化されていない場合に、図１４に示す第３区間や図６乃至図９の二組のギャップ区間の間の区間において、移動局ＵＥと無線基地局ｅＮＢが、第２キャリアにおいて通信を行う動作を示したが、代わりに、第２キャリアが有効化されていない場合には、常に、第２キャリアでは通信は行われないという動作であってもよい。この場合、移動局ＵＥは、前記図１４やや図６乃至図９に示すギャップ区間において、第２キャリアに関する動作として、第２キャリアのメジャメントを行うという動作であってもよい。
【０２０６】
尚、上述した例においては、移動局ＵＥ及び無線基地局ｅＮＢの動作として、セカンダリコンポーネントキャリアである第２キャリアの測定のためのメジャメントギャップを設定している状態において、前記セカンダリコンポーネントキャリアが有効化されている場合には、前記メジャメントギャップを無視し、一方で、前記セカンダリコンポーネントキャリアが有効化されていない場合には、前記メジャメントギャップのギャップ区間において第１キャリアの通信を停止する、という動作を示したが、代わりに、セカンダリコンポーネントキャリアである第２キャリアの測定のためのメジャメントギャップを設定している状態において、前記セカンダリコンポーネントキャリアがＤＲＸ状態でない場合には、前記メジャメントギャップを無視し、一方で、前記セカンダリコンポーネントキャリアがＤＲＸ状態である場合には、前記メジャメントギャップのギャップ区間において第１キャリアの通信を停止する、という動作であってもよい。ここで、前記メジャメントギャップと前記ＤＲＸ制御のＯｎ−ｄｕｒａｔｉｏｎは同一であってもよい。すなわち、本実施形態は、セカンダリコンポーネントキャリアがＡｃｔｉｖａｔｅｄ状態である場合／Ｄｅ−ａｃｔｉｖａｔｅｄ状態である場合に限定されることはなく、セカンダリコンポーネントキャリアがＮｏｎ−ＤＲＸ状態である場合／ＤＲＸ状態である場合に適用されてもよい。この場合、前記図５に示す区間Ｂ１乃至Ｂ２が、前記Ｏｎ−ｄｕｒａｔｉｏｎと、前記Ｏｎ−ｄｕｒａｔｉｏｎの前後に付随する、移動局ＵＥが受信機の中心周波数等を切り替える区間に相当してもよい。あるいは、前記図６に示す２つに分割されたギャップ区間が、前記Ｏｎ−ｄｕｒａｔｉｏｎの前後に付随する、移動局ＵＥが受信機の中心周波数等を切り替える区間に相当し、前記２つに分割されたギャップ区間の間の区間が、Ｏｎ−ｄｕｒａｔｉｏｎに相当してもよい。
【０２０７】
あるいは、本実施形態は、セカンダリコンポーネントキャリアがＡｃｔｉｖａｔｅｄ状態である場合／Ｄｅ−ａｃｔｉｖａｔｅｄ状態である場合に限定されることはなく、セカンダリコンポーネントキャリアが常に通信を行う状態／間欠的に通信を行う状態である場合に適用されてもよい。ここで、間欠的に通信を行う、とは、例えば、間欠的に、制御信号のモニタリングやセルサーチ、メジャメントを行い、通常のデータ通信は行わない状態であってもよい。
【０２０８】
尚、上述したＤＲＸ状態でない状態は、Ｎｏｎ−ＤＲＸ状態と呼ばれてもよい。Ｎｏｎ−ＤＲＸの状態とは、間欠受信制御に関連するパラメータが設定されていない状態、あるいは、間欠受信制御に関連するパラメータが設定され、かつ、間欠受信制御のためのタイマーが動作している状態、あるいは、間欠受信制御に関連するパラメータが設定され、かつ、スケジューリングリクエストがペンディングされている状態、あるいは、間欠受信制御に関連するパラメータが設定され、かつ、上りリンクのＨＡＲＱの再送タイミングである状態、あるいは、間欠受信制御に関連するパラメータが設定され、かつ、指定されたプリアンブルに対するランダムアクセスリスポンスの受信の後に、自局宛の新規送信のための下りリンクの制御信号を受信していない状態の内の少なくとも１つの状態であってもよい。また、ＤＲＸの状態であるとは、上述したＮｏｎ−ＤＲＸの状態ではない状態であってもよい。
【０２０９】
以下に、本実施形態における移動局ＵＥ、無線基地局ｅＮＢ、通信制御方法を適用することの効果を説明する。
【０２１０】
上述したように、本実施形態により、セカンダリコンポーネントキャリアである第２キャリアの測定のためのメジャメントギャップを設定している状態において、前記セカンダリコンポーネントキャリアが有効化されている場合には、前記メジャメントギャップを無視することにより、メジャメントギャップによるスループットの劣化を回避し、一方で、前記セカンダリコンポーネントキャリアが有効化されていない場合には、前記メジャメントギャップを考慮して第１キャリアの通信を停止しつつ、第２キャリアの測定を行うことにより、移動局ＵＥにおいて、送受信を行うつもりのデータが欠落されるという事象を回避することが可能となる。
【０２１１】
尚、Ａｃｔｉｖａｔｅｄ状態とＤｅ−ａｃｔｉｖａｔｅ状態との間の遷移は、より迅速に制御を行うため、ＭＡＣレイヤで行われるが、メジャメントギャップの設定は、ＭＡＣレイヤの上位レイヤであるＲＲＣレイヤで行われる。よって、Ａｃｔｉｖａｔｅｄ状態とＤｅ−ａｃｔｉｖａｔｅｄ状態との間の遷移に応じて、メジャメントギャップの設定及び非設定を行うと、上述した、より迅速に制御を行うというＭＡＣレイヤでの制御のメリットが消失される。すなわち、メジャメントギャップの設定は、Ａｃｔｉｖａｔｅｄ状態、Ｄｅ−ａｃｔｉｖａｔｅ状態に関係なく行われる必要がある。
【０２１２】
なお、上述の移動局ＵＥや無線基地局ｅＮＢの動作は、ＬＴＥ−Ａｄｖａｎｃｅｄが適用されるシステム以外の移動局や無線基地局及び制御局に適用されてもよい。例えば、ＬＴＥやＷＣＤＭＡ、ＣＤＭＡ２０００やＷｉＭＡＸにおける移動局や無線基地局及び制御局に適用されてもよい。
【０２１３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０２１４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２１５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０２１６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【０２１７】
本国際出願は２０１０年５月２４日に出願した日本国特許出願２０１０−１１８８３４号に基づく優先権を主張するものであり、２０１０−１１８８３４号の全内容を本国際出願に援用する。
【符号の説明】
【０２１８】
ＵＥ…移動局
１０２…第１通信部
１０２Ａ…第１下りリンク受信部
１０２Ｂ…第１上りリンク送信部
１０２Ｃ…第１測定部
１０４Ａ…第２下りリンク受信部
１０４Ｂ…第２上りリンク送信部
１０４Ｃ…第２測定部
１０６…Ａｃｔｉｖａｔｉｏｎ／Ｄｅ−ａｃｔｉｖａｔｉｏｎ制御部
１０８…ギャップ制御部
ｅＮＢ…無線基地局
２０２Ａ…第１下りリンク送信部
２０２Ｂ…第１上りリンク受信部
２０４Ａ…第２下りリンク送信部
２０４Ｂ…第２上りリンク受信部
２０６…Ａｃｔｉｖａｔｉｏｎ／Ｄｅ−ａｃｔｉｖａｔｉｏｎ制御部
２０８…ギャップ制御部
【図１】
0005421457.tif 000002
【図２】
0005421457.tif 000003
【図３】
0005421457.tif 000004
【図４】
0005421457.tif 000005
【図５】
0005421457.tif 000006
【図６】
0005421457.tif 000007
【図７】
0005421457.tif 000008
【図８】
0005421457.tif 000009
【図９】
0005421457.tif 000010
【図１０】
0005421457.tif 000011
【図１１】
0005421457.tif 000012
【図１２】
0005421457.tif 000013
【図１３】
0005421457.tif 000014
【図１４】
0005421457.tif 000015
【図１５】
0005421457.tif 000016
【図１６】
0005421457.tif 000017